(57)【要約】広帯域平板状アンテナは、第１ないし第Ｎ線状素子部からなるＮ個の線状素子の第（Ｎ−１）線状素子部の長さを第（Ｎ−２）線状素子部よりも長くし、第（Ｎ−１）線状素子部の面積を第（Ｎ−２）または第Ｎ線状素子部方向または第（Ｎ−２）および第Ｎ線状素子部方向に拡大し、一方の給電点（１４ａ）を地板部（２１）に１番近い第Ｎ線状素子部に設け、他方の給電点（１４ｂ）を地板部２１に２番目に近い第（Ｎ−１）線状素子部に設け、第（Ｎ−２）線状素子部の導電部（２６）近傍と地板部（２１）に１番近い第Ｎ線状素子部の導電部（２６）近傍とを第１導体部（３１）で接続するように構成される。
2004097980.tif 000002
【特許請求の範囲】
【請求項１】
導電基板（１０）の外周部の一部に平行に一端開放非導電面（２５）を導電基板に設けて外周部の一部と一端開放非導電面との間に線状素子部（２２）を形成し、
前記一端開放非導電面に平行に導電基板に閉塞長方形非導電面を設けてスロット素子部（２４）を形成し、
一端開放非導電面とスロット素子部との間に形成される給電点形成導電部（２３）に非導電部（２８）を設けて前記非導電部の両端を給電点（１４）とし、
前記線状素子部およびスロット素子部および給電点形成導電部の残余の導電基板の導電部を地板部（２１）とした単一線状・スロット各素子部一体形広帯域平板状アンテナ。
【請求項２】
導電基板（１０）の外周部の一部に平行に一端開放空間部（２５）を導電基板に設けて外周部の一部と一端開放空間部との間に線状素子部（２２）を形成し、
前記一端開放空間部に平行に導電基板にスロットを設けてスロット素子部（２４）を形成し、
一端開放空間部とスロット素子部との間に形成される給電点形成導体部（２３）に開口部（２８）を設けて開口部の両端を給電点（１４）とし、
前記線状素子部およびスロット素子部および給電点形成導体部の残余の導電基板を地板部（２１）とした単一線状・スロット各素子部一体形広帯域平板状アンテナ。
【請求項３】
導電基板（１０）の外周部の一部に平行に第１一端開放非導電面（２５ａ）を導電基板に設けて外周部の一部と第１一端開放非導電面との間に第１線状素子部（２２ａ）を形成し、
前記第１一端開放非導電面に平行に導電基板に第２一端開放非導電面（２５ｂ）を設けて前記第２一端開放非導電面と第１一端開放非導電面との間に第２線状素子部（２２ｂ）を形成し、
前記第２一端開放非導電面に平行に導電基板に閉塞長方形非導電面を設けてスロット素子部（２４）を形成し、
第２線状素子部とスロット素子部との間に形成される給電点形成導電部（２３）に非導電部（２８）を設けて前記非導電部の両端を給電点（１４）とし、
前記複数の線状素子部およびスロット素子部および給電点形成導電部の残余の導電基板を地板部（２１）とした複数線状・スロット各素子部一体形広帯域平板状アンテナ。
【請求項４】
導電基板（１０）の外周部の一部に平行に第１一端開放空間部（２５ａ）を導電基板に設けて外周部の一部と第１一端開放空間部との間に第１線状素子部（２２ａ）を形成し、
前記第１一端開放空間部に平行に導電基板に第２一端開放空間部（２５ｂ）を設けて前記第２一端開放空間部と第１一端開放空間部との間に第２線状素子部（２２ｂ）を形成し、
前記第２一端開放空間部に平行に導電基板にスロットを設けてスロット素子部（２４）を形成し、
第２線状素子部とスロット素子部との間に形成される給電点形成導体部（２３）に開口部（２８）を設けて前記開口部の両端を給電点（１４）とし、
前記複数の線状素子部およびスロット素子部および給電点形成導体部の残余の導電基板を地板部（２１）とした複数線状・スロット各素子部一体形広帯域平板状アンテナ。
【請求項５】
導電基板（１０）の外周部の一部に平行に第１一端開放非導電面（２５ａ）を導電基板に設けて外周部の一部と第１一端開放非導電面との間に第１線状素子部（２２ａ）を形成し、
前記第１一端開放非導電面に平行に導電基板に第２一端開放非導電面（２５ｂ）ないし第Ｎ一端開放非導電面（２５ｎ）の複数の一端開放非導電面を設けて前記各一端開放非導電面の間に第２線状素子部（２２ｂ）ないし第Ｎ線状素子部（２２ｎ）の複数の線状素子部を形成し、
前記第Ｎ一端開放非導電面に平行に導電基板に閉塞長方形非導電面を設けてスロット素子部（２４）を形成し、
第Ｎ一端開放非導電面とスロット素子部との間に形成される給電点形成導電部（２３）に非導電部（２８）を設けて前記非導電部の両端を給電点（１４）とし、
前記複数の線状素子部およびスロット素子部および給電点形成導電部の残余の導電基板を地板部（２１）とした複数線状・スロット各素子部一体形広帯域平板状アンテナ。
【請求項６】
導電基板（１０）の外周部の一部に平行に第１一端開放非導電面（２５ａ）を導電基板に設けて外周部の一部と第１一端開放非導電面との間に導電基板の外周部側の長さが短い第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長い第２線状素子部（３０ｂ）を形成し、
前記第２一端開放非導電面に平行に導電基板に閉塞長方形非導電面を設けてスロット素子部（２４）を形成し、
第２線状素子部とスロット素子部との間に形成される給電点形成導電部（２３）に非導電部（２８）を設けて前記非導電部の両端を給電点（１４）とし、
第１線状素子部と給電点形成導体部とを第１導体部（３１）で接続し、
前記複数の線状素子部およびスロット素子部および給電点形成導電部の残余の導電基板を地板部（２１）とした複数線状・スロット各素子部一体形広帯域平板状アンテナ。
【請求項７】
導電基板（１０）の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長い第２線状素子部（３０ｂ）を形成し、
前記第２一端開放空間部に平行に導電基板にスロットを設けてスロット素子部（２４）を形成し、
第２線状素子部とスロット素子部との間に形成される給電点形成導体部（２３）に開口部（２８）を設けて前記開口部の両端を給電点（１４）とし、
第１線状素子部と給電点形成導体部とを第１導体部（３１）で接続し、
前記複数の線状素子部およびスロット素子部および給電点形成導体部の残余の導電基板を地板部（２１）とした複数線状・スロット各素子部一体形広帯域平板状アンテナ。
【請求項８】
導電基板（１０）の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）ないし第Ｎ一端開放非導電面（２５ｎ）の複数の一端開放非導電面を設けて前記各一端開放非導電面の間に第１線状素子部よりも長さが長い第２線状素子部（３０ｂ）ないし第Ｎ線状素子部（３０ｎ）の複数の線状素子部を形成し、
前記第Ｎ一端開放非導電面に平行に導電基板に閉塞長方形非導電面を設けてスロット素子部（２４）を形成し、
第Ｎ一端開放非導電面とスロット素子部との間に形成される給電点形成導電部（２３）に非導電部（２８）を設けて前記非導電部の両端を給電点（１４）とし、
第１線状素子部と給電点形成導体部とを第１導体部（３１）で接続し、
前記複数の線状素子部およびスロット素子部および給電点形成導電部の残余の導電基板を地板部（２１）とした複数線状・スロット各素子部一体形広帯域平板状アンテナ。
【請求項９】
複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長い第２線状素子部（３０ｂ）を形成し、
前記第２一端開放非導電面に平行に導電基板に第３一端開放非導電面（２５ｃ）を設けて、前記第３一端開放非導電面と第２一端開放非導電面との間に第２線状素子部よりも長さが短い第３線状素子部（３０ｃ）を形成して第２線状素子部と地板部との間の非導電部分の面積を拡大し、
各素子を共通に地板部に短絡する導電部分を各素子共通地板短絡導電部（２６）とし、
第２線状素子部の前記の各素子共通地板短絡導電部の近傍に一方の給電点（１４ａ）を設け、
第３線状素子部の前記の各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１０】
複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長い第２線状素子部（３０ｂ）を形成し、
前記第２一端開放空間部に平行に導電基板に第３一端開放空間部（２５ｃ）を設けて、前記第３一端開放空間部と第２一端開放空間部との間に第２線状素子部よりも長さが短い第３線状素子部（３０ｃ）を形成して第２線状素子部と地板部との間の空間部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１１】
複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長く、第１線状素子部方向に面積を拡大した第２線状素子部（３０ｂ）を形成し、
前記第２一端開放非導電面に平行に導電基板に第３一端開放非導電面（２５ｃ）を設けて、前記第３一端開放非導電面と第２一端開放非導電面との間に第２線状素子部よりも長さが短い第３線状素子部（３０ｃ）を形成して第２線状素子部と地板部との間の非導電部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１２】
複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長く、第１線状素子部方向に面積を拡大した第２線状素子部（３０ｂ）を形成し、
前記第２一端開放空間部に平行に導電基板に第３一端開放空間部を設けて、前記第３一端開放空間部と第２一端開放空間部との間に第２線状素子部よりも長さが短い第３線状素子部（３０ｃ）を形成して第２線状素子部と地板部との間の空間部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１３】
複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長く、第１線状素子部方向および第１線状素子部方向とは反対の方向に面積を拡大した第２線状素子部（３０ｂ）を形成し、
前記第２一端開放非導電面に平行に導電基板に第３一端開放非導電面（２５ｃ）を設けて、前記第３一端開放非導電面と第２一端開放非導電面との間に第２線状素子部よりも長さが短い第３線状素子部（３０ｃ）を形成して第２線状素子部と地板部との間の非導電部分の面積を拡大し、各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１４】
複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長く、第１線状素子部方向および第１線状素子部方向とは反対の方向に面積を拡大した第２線状素子部（２０ｂ）を形成し、
前記第２一端開放非導電面に平行に導電基板に第３一端開放空間部（２５ｃ）を設けて、前記第３一端開放空間部と第２一端開放空間部との間に第２線状素子部よりも長さが短い第３線状素子部（３０ｃ）を形成して第２線状素子部と地板部との間の空間部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１５】
複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）ないし第Ｎ一端開放非導電面（２５ｎ）を設けて前記第２一端開放非導電面と第Ｎ一端開放非導電面との間に第２線状素子部ないし第Ｎ線状素子部（３０ｎ）を形成し、地板部に２番目に近い第（Ｎ−１）線状素子部（３０ｎ−１）は地板部に３番目に近い第（Ｎ−２）線状素子部（３０ｎ−２）および地板部に１番に近い第Ｎ線状素子部（３０ｎ）よりも長さが長く、第（Ｎ−１）線状素子部の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部と地板部との間の非導電部分の面積を拡大し、
各素子を共通に地板部に短絡する導電部分を各素子共通地板短絡導電部（２６）とし、
第（Ｎ−１）線状素子部の前記各素子共通地板短絡導電部の近傍に一方の給電点（１４ａ）を設け、
第Ｎ線状素子部の前記各素子共通地板短絡導電部の近傍に他方の給電点（１４ｂ）を設けるとともに、
第（Ｎ−２）線状素子部の前記各素子共通地板短絡導電部の近傍と第Ｎ線状素子部の前記各素子共通地板短絡導電部の近傍とを第１導体部（３１）で接続した広帯域平板状アンテナ。
【請求項１６】
複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）ないし第Ｎ一端開放空間部（２５ｎ）を設けて前記第２一端開放空間部と第Ｎ一端開放空間部との間に第２線状素子部（３０ｂ）ないし第Ｎ線状素子部（３０ｎ）を形成し、地板部に２番目に近い第（Ｎ−１）線状素子部（３０ｎ−１）は地板部に３番目に近い第（Ｎ−２）線状素子部（３０ｎ−２）および地板部に１番に近い第Ｎ線状素子部よりも長さが長く、第（Ｎ−１）線状素子部の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部と地板部との間の空間部分の面積を拡大し、
各素子を共通に地板部に短絡する導電部分を各素子共通地板短絡導電部（２６）とし、
第（Ｎ−１）線状素子部の前記各素子共通地板短絡導電部の近傍に一方の給電点（１４ａ）を設け、
第Ｎ線状素子部の前記各素子共通地板短絡導電部の近傍に他方の給電点（１４ｂ）を設けるとともに、
第（Ｎ−２）線状素子部の前記各素子共通地板短絡導電部の近傍と第Ｎ線状素子部の前記各素子共通地板短絡導電部の近傍とを第１導体部（３１）で接続した広帯域平板状アンテナ。
【請求項１７】
請求項１ないし請求項１６に記載の給電点に同軸ケーブル（５）の内部導体（５ａ）および外部導体（５ｂ）を接続した広帯域平板状アンテナ。
【請求項１８】
請求項１ないし請求項１６に記載の給電点にシュペルトプフ（９）を付加した同軸ケーブルの内部導体および外部導体を接続した広帯域平板状アンテナ。
【請求項１９】
請求項１７に記載の同軸ケーブル（５）の外部導体の外周に２つの動作周波数の内の第１の動作周波数の１／４波長の長さの第１円筒導電体（１９ａ）を配置し、さらに前記第１円筒導電体の外部に２つの動作周波数の内の第２の動作周波数の１／４波長の長さの第２円筒導電体（１９ｂ）を配置して前記第１円筒導電体および前記第２円筒導電体を同軸ケーブルの外部導体に短絡する２つの動作周波数用シュペルトプフ（１９）を有する広帯域平板状アンテナ。
【発明の詳細な説明】
【技術分野】  本発明は、広帯域平板状アンテナに関し、特に、小型で薄板でスペースが限定された機器の内部（例えば、ノートパソコンなどの携帯電子機器）に使用する広帯域平板状アンテナ構造に関するものである。
【背景技術】  従来から、例えば、コードレス用ノートパソコンなどに開放された周波数帯域として、ＩＥＥＥ８０２．１１ｂの２．４ＧＨ帯、上記２．４ＧＨ帯よりも伝送速度の速い同８０２．１１ａの５ＧＨ帯が実用化している。近年、上記５ＧＨ帯と同様に伝送速度の速い同８０２．１１ｇの２．４ＧＨ帯も市販され始めている。また、既に、普及している上記５ＧＨ帯であっても、各国によって、５ＧＨ帯の低域、中域、５．８ＧＨ付近の高域の広帯域に及んでおり、ますます、広帯域および多帯域化が進んでいる。
上記ように、広帯域および多帯域化に共用できる携帯電子機器に適した平板状アンテナの開発が要望されているが、現状では、広帯域・多帯域共用平板状アンテナの実用・普及が充分ではない。
図２は、ノートパソコンＰＣのディスプレーの上端部分１５に平板状アンテナ１９の部分を液晶（ＬＣＤ）モジュール１８と筺体１６との隙間に挟み込んでプラスチックカバー１７で覆ったアンテナ装着ノートパソコンの図である。同図において、ｚ１は例えば後述する図８に示す複合素子部長さｙ１に対応するノートパソコンに実装する際の複合素子部実装長さである。ｚ２は図８に示す地板部長さｙ２に対応するノートパソコンに実装する際の地板部実装長さである。
［従来技術１］
図３は、たとえば、特開２００３−３７４３１号公報に開示されているような、従来技術１の平板状逆Ｆアンテナ（以下、逆Ｆアンテナという）１の電気的等価図である。上記逆Ｆアンテナ１は、逆Ｆアンテナ地板部１ａと逆Ｆアンテナ線状素子部１ｂとを逆Ｆアンテナ素子・地板短絡部１ｃで連接されている。逆Ｆアンテナ地板部１ａと逆Ｆアンテナ線状素子部１ｂとで形成される逆Ｆアンテナ一端開放空間部１ｄの対向面に単一素子信号源３の一方の給電点４ａおよび他方の給電点４ｂからなる単一素子給電点４が設けられている。上記平板状逆Ｆアンテナ１は、単一の周波数帯用として使用されている。
［従来技術２］
図４は、従来技術２のスロットアンテナ２の電気的等価図である。上記スロットアンテナ２は、スロット導電部２ａにスロット開口部（非導電部）２ｂが形成されている。スロット開口部２ｂの対向面に単一素子信号源３の一方の給電点４ｃおよび他方の給電点４ｄからなる単一素子給電点４が設けられている。上記スロットアンテナ２は、単一の周波数帯用として使用されている。
［第１の発明が解決しようとする課題］
図３の逆Ｆアンテナ１または図４のスロットアンテナ２は、前述したように、単一の周波数帯用のアンテナであるために、２．４ＧＨ帯および５ＧＨ帯の両方の周波数帯域に対応しようとすれば、周波数帯毎に別々のアンテナを同一の携帯電子機器に組み込まなければならない。また、２．４ＧＨ帯と５ＧＨ帯とを単一の端子から出力する無線機として接続して使用する場合には、２．４ＧＨ帯および５ＧＨ帯の両方の周波数帯域の信号を合成しなければならない。
図５は、広帯域アンテナと同等の出力信号を得るためにアンテナ１とアンテナ２との信号を合成して合成信号を無線機回路に出力する複数アンテナ信号合成回路８を示す図である。
同図において、広帯域アンテナと同等の出力信号を得るために、アンテナ１（例えば、従来技術１の逆Ｆアンテナ１）とアンテナ２（例えば、従来技術２のスロットアンテナ２）との信号を、それぞれコネクタ接続用同軸ケーブル５１，５２およびコネクタ６１，６２によって周波数共用器７に入力して合成し、さらに、上記合成信号をコネクタ接続用同軸ケーブル５３およびコネクタ６３によって無線機回路に出力する。なお、周波数共用器７の代わりに分配器を使うと、損失が増加する。
上記のような複数アンテナ信号合成回路８は、次の問題点がある。（１）アンテナが複数個必要である。（２）周波数共用器７または分配器が必要である。（３）各アンテナの入力から無線機回路に出力するまでの同軸ケーブルおよびコネクタが複数個必要である。
これらによって著しくコストアップし、またこれらの収納スペースのために携帯電子機器の寸法、形状、デザインなどが制約される。さらに、広帯域化のために、上記のような複数アンテナ信号合成回路８を使用した場合には、アンテナ１の信号の指向性とアンテナ２の信号の指向性とを合成するために、上記合成回路の出力信号から得られる指向性が、アンテナ１の信号の指向性およびアンテナ２の信号の指向性のそれぞれの指向性から変化してしまう。その結果、本来目標としたアンテナ１の信号およびアンテナ２の信号の指向性が得られなくなる。
第１発明は、コストアップすることなく、またこれらの収納スペースのために携帯電子機器の寸法、形状、デザインなどが制約されることなく、本来目標としたアンテナの信号の指向性が得られる広帯域および多帯域化に共用できる携帯電子機器に適した広帯域平板状アンテナを提供することを目的とする。
上記第１発明は、後述する図８に示すように、従来技術の逆Ｆアンテナとスロットアンテナとを組み合わせて開発した複数線状・スロット各素子部一体形アンテナ１２（以下、広帯域平板状アンテナ１２という）である。
［第２の発明が解決しようとする課題］
広帯域平板状アンテナを携帯電子機器の実装条件に適した形状にして利得の向上を図る場合に、後述する図８に示すように、アンテナ外周部の線状素子部（以下、第１線状素子部という）２２ａを上記第１線状素子部２２ａの内側にある線状素子部（以下、第２線状素子部という）２２ｂよりも短くした方が良い場合もあるが、上記場合、第１線状素子部２２ａが励振されにくい。
そこで、５ＧＨｚ帯用スロット素子、５ＧＨｚ帯用線状素子および２．４ＧＨｚ帯用線状素子からなるアンテナを考えると、第１線状素子部２２ａのほうが第２線状素子部２２ｂよりも長くなるようにして、第１線状素子部２２ａが励振されやすくするために、地板部２１から順番に、５ＧＨｚ帯用スロット素子、５ＧＨｚ帯用線状素子および５ＧＨｚ帯用線状素子よりも長い２．４ＧＨｚ帯用線状素子の順で配置すると、筺体などの影響は、筺体などから各素子部までの距離が短くなる程大きくなるので、２．４ＧＨｚ帯用線状素子、５ＧＨｚ帯用線状素子、５ＧＨｚ帯用スロット素子の順に大きくなり、５ＧＨｚ帯に偏ることになる。
上記対策として、５ＧＨｚ帯用スロット素子、２．４ＧＨｚ帯用線状素子および５ＧＨｚ帯用線状素子の順で配置するように変更することも考えられるが、第１線状素子部２２ａを第２線状素子部２２ｂよりも短くした形状になる。
しかし、後述する図８に示すように、第１線状素子部２２ａの励振は、第２線状素子部２２ｂが先に励振され、上記励振に伴って、非導電部の第２一端開放空間部２５ｂに生じた電磁界が、第２一端開放空間部２５ｂの開口部から第１一端開放空間部２５ａの開口部まで結合して第１一端開放空間部２５ａに電磁界を生じさせて、第１線状素子部２２ａが励振される。第２線状素子部２２ｂが長くなるとそれぞれの開口部が離れることになり、結合が弱くなって第１線状素子部２２ａが励振されにくくなる。
第２発明は、第１発明のアンテナの信号の指向性が得られる広帯域および多帯域化に共用できる携帯電子機器に適した作用効果に加えて、筺体などの影響が特定の周波数帯域に偏らないように、第１線状素子部３０ａの長さを第２線状素子部３０ｂよりも短くしても、第１線状素子部３０ａを十分に励振させることができる広帯域平板状アンテナを提供することを目的とする。
［第３の発明が解決しようとする課題］
逆Ｆアンテナのような不平衡形のアンテナは、一般に、素子形成部（平板状アンテナ幅ａ×複合素子部長さｙ１）と地板部２１（平板状アンテナ幅ａ×地板部長さｙ２）とによって形成され、素子形成部の面積が小さいと、素子部（導電部）の面積または非導電部もしくは空間部分の面積が小さくなり必要な反射損失（リターンロス）で動作できる動作帯域が狭くなる。
第２発明の後述する図１３において、第２線状素子部３０ｂと地板部２１との間に給電点形成導体部２３およびスロット素子・地板短絡部２７が存在すると、第２線状素子部３０ｂの動作帯域が狭くなる。これらの給電点形成導体部２３およびスロット素子・地板短絡部２７を取り除くと、これらに囲まれたスロット素子部２４が消滅する。
その代わりとして、第３線状素子部３０ｃを新たに設ける。第３線状素子部３０ｃの長さは、同じ動作周波数に対してスロット素子部２４の長さの約１／２であるので、第２線状素子部３０ｂと地板部２１との間の空隙が増加することになり、第２線状素子部３０ｂの動作帯域を広くすることができる。
その結果、第３発明の後述する図１６の複合素子部長さｙ１の小さい広帯域平板状アンテナ２０を提供することができる。上記複合素子部長さｙ１は、ノートパソコンに実装する際の複合素子部実装長さｚ１に対応しており、放射を行わせるためには、ＬＣＤモジュール１８および筺体（金属）１６に沿わせることができない部分である。したがって、これらの部分の寸法が小さくなれば、小型のノートパソコンを提供することができる。
第３発明は、第１発明のアンテナの信号の指向性が得られる広帯域および多帯域化に共用できる携帯電子機器に適した作用効果に加えて、筺体などの影響が特定の周波数帯域に偏らないように、第１線状素子部３０ａの長さを第２線状素子部３０ｂよりも短くしても、第１線状素子部３０ａを十分に励振させることができ、さらに、第２発明の第２線状素子部３０ｂおよび第２線状素子部３０ｂから地板部２１の間の空間部分の面積を大きくして、第２線状素子部３０ｂの動作帯域を広くした広帯域平板状アンテナを提供することを目的とする。
【発明の開示】
［第１発明の課題解決手段］
第１発明の解決手段は、図７に示すように、導電基板１０の外周部の一部に平行に一端開放非導電面２５を導電基板１０に設けて外周部の一部と一端開放非導電面２５との間に線状素子部２２を形成し、
上記一端開放非導電面２５に平行に導電基板１０に閉塞長方形非導電面を設けてスロット素子部２４を形成し、
一端開放非導電面２５とスロット素子部２４との間に形成される給電点形成導電部２３に非導電部２８を設けて上記非導電部２８の両端を複合素子給電点１４とし、
上記線状素子部２２およびスロット素子部２４および給電点形成導電部２３の残余の導電基板１０の導電部を地板部２１とした単一線状・スロット各素子部一体形広帯域平板状アンテナ１１である。
［第２発明の課題解決手段］
第２発明の解決手段は、図１３に示すように、導電基板１０の外周部の一部に平行に第１一端開放非導電面２５ａを導電基板１０に設けて、外周部の一部と第１一端開放非導電面２５ａとの間に導電基板１０の外周部側の長さが短い線状素子３０ａ（第１線状素子部３０ａ）を形成し、
上記第１一端開放非導電面２５ａに平行に導電基板１０に第２一端開放非導電面２５ｂを設けて上記第２一端開放非導電面２５ｂと第１一端開放非導電面２５ａとの間に第１線状素子部３０ａよりも長さが長い線状素子３０ｂ（第２線状素子部３０ｂ）を形成し、
上記第２一端開放非導電面２５ｂに平行に導電基板１０に閉塞長方形非導電面を設けてスロット素子部２４を形成し、
第２線状素子部３０ｂとスロット素子部２４との間に形成される給電点形成導電部２３に非導電部２８を設けて上記非導電部２８の両端を複合素子給電点１４とし、
第１線状素子部３０ａと給電点形成導体部２３とを第１導体部３１で設け、
上記複数の線状素子部およびスロット素子部２４および給電点形成導電部２３の残余の導電基板１０を地板部２１とした広帯域平板状アンテナ１２である。
［第３発明の課題解決手段］
第３発明の解決手段は、図１８に示すように、複合素子部と地板部２１とを形成する導電基板１０から成る平板状アンテナにおいて、
導電基板１０の外周部の一部に平行に第１一端開放非導電面２５ａを導電基板１０に設けて外周部の一部と第１一端開放非導電面２５ａとの間に第１線状素子部３０ａを形成し、
上記第１一端開放非導電面２５ａに平行に導電基板１０に第２一端開放非導電面２５ｂないし第Ｎ一端開放非導電面２５ｎを設けて上記第２一端開放非導電面２５ｂと第Ｎ一端開放非導電面２５ｎとの間に第２線状素子部３０ｂないし第Ｎ線状素子部３０ｎを形成し、地板部２１に２番目に近い第（Ｎ−１）線状素子部３０ｎ−１は地板部２１に３番目に近い第（Ｎ−２）線状素子部３０ｎ−２および地板部２１に１番に近い第Ｎ線状素子部３０ｎよりも長さが長く、第（Ｎ−１）線状素子部３０ｎ−１の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部３０ｎ−１と地板部２１との間の非導電部分の面積を拡大し、
各素子を共通に地板部２１に短絡する導電部分を各素子共通地板短絡導電部２６とし、
第（Ｎ−１）線状素子部３０ｎ−１の上記各素子共通地板短絡導電部２６の近傍に一方の給電点１４ａを設け、
第Ｎ線状素子部３０ｎの上記各素子共通地板短絡導電部２６の近傍に他方の給電点１４ｂを設けるとともに、
第（Ｎ−２）線状素子部３０ｎ−２の上記各素子共通地板短絡導電部２６の近傍と第Ｎ線状素子部３０ｎの上記各素子共通地板短絡導電部２６の近傍とを第１導体部３１で接続した第３発明の複数線状各素子部一体形広帯域平板状アンテナである。
以下に記載する本発明の効果のすべてを同時に有している必要はなく、本発明の一つ以上の効果を有していればよい。
［第１発明の効果］
第１発明の効果は、単一線状・スロット各素子部一体形広帯域平板状アンテナによれば、コストアップがほとんどなく、またこれらの収納スペースのために携帯電子機器の寸法、形状、デザインなどが制約されることなく、本来目標としたアンテナの信号の指向性が得られる広帯域および多帯域化に共用できる携帯電子機器を実現することができる。線状素子部の動作周波数とスロット素子部の動作周波数とは、異なる動作周波数を選定して２つの動作周波数帯域の一体形アンテナとすることができる。また、線状素子部の動作周波数とスロット素子部の動作周波数とを、隣接させた動作周波数を選定して連続した広帯域の動作周波数帯域の一体形アンテナとすることができる。
［第２発明の効果］
第２発明の効果は、第１発明が有するアンテナの信号の指向性が得られる広帯域および多帯域化に共用できる携帯電子機器に適した作用効果に加えて、第２発明の特有の効果として、筺体などの影響が特定の周波数に偏らないように、第１線状素子部３０ａの長さを第２線状素子部３０ｂよりも短くしても、第１線状素子部３０ａを十分に励振させることができる。
［第３発明の効果］
第３発明は、第１発明が有するアンテナの信号の指向性が得られる広帯域および多帯域化に共用できる携帯電子機器に適した作用効果に加えて、第２発明が有する筺体などの影響が特定の周波数帯域に偏らないように、第１線状素子部３０ａの長さを第２線状素子部３０ｂよりも短くしても、第１線状素子部３０ａを十分に励振させることができ、さらに、第３発明の特有の効果として、第２線状素子部および第２線状素子部から地板部の間の空間部分の面積を大きくして、第２線状素子部の動作帯域を広くすることができる。
【図面の簡単な説明】  図１は、第２線状素子部の長さを第１線状素子部および第３線状素子部よりも長くし、面積を第１線状素子部方向に拡大し、複合素子給電点および第１導体部を線状素子部に設けた複数線状各素子部一体形広帯域平板状アンテナの電気的等価図である。
図２は、ノートパソコンのディスプレーの上端部分に平板状アンテナの地板の部分を液晶（ＬＣＤ）モジュールと筺体との隙間に挟み込んでプラスチックカバーで覆ったアンテナ装着ノートパソコンの図である。
図３は、従来技術１の平板状逆Ｆアンテナの電気的等価図である。
図４は、従来技術２のスロットアンテナの電気的等価図である。
図５は、多帯域アンテナと同等の出力信号を得るためにアンテナ１とアンテナ２との信号を合成して合成信号を無線機回路に出力する複数アンテナ信号合成回路図である。
図６Ａ〜図６Ｄは、従来技術の平板状アンテナの電気的等価図の給電点に、単一の給電線を接続するためのシュペルトプフを使用して給電線を接続する給電線接続図である。
図７は、第１発明の単一線状・スロット各素子部一体形広帯域平板状アンテナの電気的等価図である。
図８は、第１発明の給電点を各素子共通地板短絡導電部と給電点形成導体部とに設けた複数線状・スロット各素子部一体形広帯域平板状アンテナの電気的等価図である。
図９は、図７に示す単一線状・スロット各素子部一体形広帯域平板状アンテナの給電点に給電線を接続する第１の給電線接続図である。
図１０は、図７に示す単一線状・スロット各素子部一体形広帯域平板状アンテナの給電点に給電線を接続する第２の給電線接続図である。
図１１Ａおよび図１１Ｂは、図７に示す広帯域平板状アンテナの給電点に、２つの動作周波数用シュペルトプフを使用して給電線を接続する給電線接続図である。
図１２は、図８に示す第１発明の複数線状・スロット各素子部一体形広帯域平板状アンテナの反射特性図である。
図１３は、図８に示す第１発明の複数線状・スロット各素子部一体形広帯域平板状アンテナの第２線状素子部の長さを第１線状素子部よりも長くするとともに、給電点を各素子共通地板短絡導電部と第２線状素子部との連接部に形成した突出部と給電点形成導体部とに設けた第２発明の複数線状・スロット各素子部一体形広帯域平板状アンテナの電気的等価図である。
図１４は、図８に示す第１発明の第２線状素子部の長さを第１線状素子部よりも長くするとともに、給電点を各素子共通地板短絡導電部の突出部と給電点形成導体部とに設けた第２発明の複数線状・スロット各素子部一体形広帯域平板状アンテナの電気的等価図である。
図１５は、図８に示す第１発明の第２線状素子部の長さを第１線状素子部よりも長くするとともに、第２発明の給電点を第２線状素子部の突出部と給電点形成導体部とに設けた第２発明の複数線状・スロット各素子部一体形広帯域平板状アンテナの電気的等価図である。
図１６は、複合素子部を第１線状素子部ないし第３線状素子部によって形成し、第２線状素子部の長さを第１線状素子部および第３線状素子部よりも長くし、給電点を第２線状素子部と第３線状素子部とに設けるとともに、第１導体部を第１線状素子部と第３線状素子部とに接続した第３発明の複数線状各素子部一体形広帯域平板状アンテナの電気的等価図である。
図１７は、複合素子部を第１線状素子部ないし第３線状素子部によって形成し、第２線状素子部の長さを第１線状素子部および第３線状素子部よりも長くし、面積を第１線状素子部方向および第３線状素子部方向に拡大し、給電点を第２線状素子部と第３線状素子部とに設けるとともに、第１導体部を第１線状素子部と第３線状素子部とに接続した第３発明の複数線状各素子部一体形広帯域平板状アンテナの電気的等価図である。
図１８は、複合素子部を第１線状素子部ないし第Ｎ線状素子部によって形成し、第（Ｎ−１）線状素子部の長さを第（Ｎ−２）線状素子部および第Ｎ線状素子部よりも長くすし、面積を（ａ）第Ｎ線状素子部方向または（ｂ）第（Ｎ−２）線状素子部方向または（ｃ）第Ｎ線状素子部および第（Ｎ−２）線状素子部方向に拡大し、給電点を地板部２１に１番近い第Ｎ線状素子部および地板部２１に２番目に近い第（Ｎ−１）線状素子部に設けるとともに、第（Ｎ−２）線状素子部の各素子共通地板短絡導電部近傍と上記地板部２１に１番近い第Ｎ線状素子部の各素子共通地板短絡導電部近傍とを第１導体部で接続した第３発明の複数線状各素子部一体形広帯域平板状アンテナの電気的等価図である。
図１９は、図１に示す第３発明の複数線状各素子部一体形広帯域平板状アンテナの反射特性図である。
【発明を実施するための最良の形態】  発明を実施するための最良の形態は、第３発明の図１６に示す第１線状素子部３０ａないし第３線状素子部３０ｃによって形成した複合素子部を、図１に示すように、第２線状素子部の長さを第１線状素子部３０ａおよび第３線状素子部３０ｃよりも長くし、第２線状素子部および第２線状素子部から地板部の間の空間部分の面積を第１線状素子部３０ａ方向に拡大し、第２線状素子部３０ｂおよび第２線状素子部３０ｂから地板部２１の間の空間部分の面積を拡大した第２線状素子部３０ｄの各素子共通地板短絡導電部２６の近傍に一方の給電点１４ａを設け、第３線状素子部３０ｃの各素子共通地板短絡導電部２６の近傍に他方の給電点１４ｂを設けるとともに、第１線状素子部３０ａの各素子共通地板短絡導電部２６の近傍と第３線状素子部３０ｃの各素子共通地板短絡導電部２６の近傍とを第１導体部３１で接続した第３発明の複数線状各素子部一体形広帯域平板状アンテナである。
［最良の形態以外の実施の形態］
以下に、上記の発明を実施するための最良の形態以外に、本出願の発明を実施することができる実施の形態を列挙する。実施の形態は図面を参照して説明するので、実施の形態で説明する図面について説明する。
［実施の形態の図面の説明］
図１は、第２線状素子部の長さを第１線状素子部および第３線状素子部よりも長くし、第２線状素子部３０ｂおよび第２線状素子部３０ｂから地板部２１の間の空間部分の面積を第１線状素子部方向に拡大し、複合素子給電点および第１導体部を線状素子部に設けた複数線状各素子部一体形広帯域平板状アンテナの電気的等価図である。
図７は、第１発明の単一線状・スロット各素子部一体形広帯域平板状アンテナの電気的等価図である。
図８は、第１発明の給電点を各素子共通地板短絡導電部の突出部と給電点形成導体部とに設けた複数線状・スロット各素子部一体形広帯域平板状アンテナの電気的等価図である。
図９は、図７に示す単一線状・スロット各素子部一体形広帯域平板状アンテナの給電点に同軸給電線を接続する第１の同軸給電線接続図である。
図１０は、図７に示す単一線状・スロット各素子部一体形広帯域平板状アンテナの給電点に同軸給電線を接続する第２の同軸給電線接続図である。
図１１Ａおよび図１１Ｂは、図７に示す広帯域平板状アンテナの給電点に、２つの動作周波数用シュペルトプフを使用して同軸給電線を接続する同軸給電線接続図である。
図１２は、図８に示す第１発明の複数線状・スロット各素子部一体形広帯域平板状アンテナの反射特性図である。
図１３は、図８に示す第１発明のアンテナの第２線状素子部の長さを第１線状素子部よりも長くするとともに、給電点を各素子共通地板短絡導電部と第２線状素子部との連接部に形成した突出部と給電点形成導体部とに設けた第２発明の複数線状・スロット各素子部一体形広帯域平板状アンテナの電気的等価図である。
図１４は、図８に示す第１発明のアンテナの第２線状素子部の長さを第１線状素子部よりも長くするとともに、給電点を各素子共通地板短絡導電部の突出部と給電点形成導体部とに設けた第２発明の複数線状・スロット各素子部一体形広帯域平板状アンテナの電気的等価図である。
図１５は、図８に示す第１発明のアンテナの第２線状素子部の長さを第１線状素子部よりも長くするとともに、第２発明の給電点を第２線状素子部の突出部と給電点形成導体部とに設けた第２発明の複数線状・スロット各素子部一体形広帯域平板状アンテナの電気的等価図である。
図１６は、複合素子部を第１線状素子部ないし第３線状素子部によって形成し、第２線状素子部の長さを第１線状素子部および第３線状素子部よりも長くし、給電点を第２線状素子部と第３線状素子部とに設けるとともに、第１導体部を第１線状素子部と第３線状素子部とに接続した第３発明の複数線状各素子部一体形広帯域平板状アンテナの電気的等価図である。
図１７は、複合素子部を第１線状素子部ないし第３線状素子部によって形成し、第２線状素子部の長さを第１線状素子部および第３線状素子部よりも長くし、面積を第１線状素子部方向におよび第３線状素子部方向に拡大し、給電点を第２線状素子部と第３線状素子部とに設けるとともに、第１導体部を第１線状素子部と第３線状素子部とに接続した第３発明の複数線状各素子部一体形広帯域平板状アンテナの電気的等価図である。
図１８は、複合素子部を第１線状素子部ないし第Ｎ線状素子部によって形成し、第（Ｎ−１）線状素子部３０ｎ−１の長さを第（Ｎ−２）線状素子部３０ｎ−２および第Ｎ線状素子部３０ｎの長さよりも長く形成するとともに、第（Ｎ−１）線状素子部３０ｎ−１の面積を（ａ）第（Ｎ−２）線状素子部３０ｎ−２または（ｂ）第Ｎ線状素子部３０ｎ方向または（ｃ）第（Ｎ−２）線状素子部３０ｎ−２および第Ｎ線状素子部３０ｎ方向に拡大し、一方の給電点１４ａを地板部２１に１番近い第Ｎ線状素子部３０ｎに設け、他方の給電点１４ｂを地板部２１に２番目に近い第（Ｎ−１）線状素子部３０ｎ−１に設けるとともに、第（Ｎ−２）線状素子部３０ｎ−２の各素子共通地板短絡導電部２６の近傍と上記地板部２１に１番近い第Ｎ線状素子部３０ｎの各素子共通地板短絡導電部２６の近傍とを第１導体部３１で接続した第３発明の複数線状各素子部一体形広帯域平板状アンテナの電気的等価図である。
図１９は、図１に示す第３発明の複数線状各素子部一体形広帯域平板状アンテナの反射特性図である。同図は、前述した図１２と同様に、横軸に複数線状各素子部一体形広帯域平板状アンテナ２０の給電点に入出力する動作周波数［ＧＨｚ］を選定し、縦軸に各周波数に対するアンテナ形状によって特定される反射損失（リターンロス）［ｄＢ］を選定した反射特性図である。
以下、上記課題を解決するための手段を変形、拡張した具体例を、図面および図面の符号を参照して、請求項形式で実施の形態（以下、請求形態という）として記載する。
［第１発明の請求形態］
請求形態１の発明は、図７に示すように、導電基板１０の外周部の一部に平行に一端開放非導電面２５を導電基板１０に設けて外周部の一部と一端開放非導電面２５との間に線状素子部２２を形成し、
上記一端開放非導電面２５に平行に導電基板１０に閉塞長方形非導電面を設けてスロット素子部２４を形成し、
一端開放非導電面２５とスロット素子部２４との間に形成される給電点形成導電部２３に非導電部２８を設けて上記非導電部２８の両端を複合素子給電点１４とし、
上記線状素子部２２およびスロット素子部２４および給電点形成導電部２３の残余の導電基板１０の導電部を地板部２１とした単一線状・スロット各素子部一体形広帯域平板状アンテナ１１である。
請求形態２の発明は、図７示すように、導電基板１０の外周部の一部に平行に一端開放空間部２５を導電基板１０に設けて外周部の一部と一端開放空間部２５との間に線状素子部２２を形成し、
上記一端開放空間部２５に平行に導電基板１０にスロットを設けてスロット素子部２４を形成し、
一端開放空間部２５とスロット素子部２４との間に形成される給電点形成導体部２３に開口部２８を設けて開口部２８の両端を複合素子給電点１４とし、
上記線状素子部２２およびスロット素子部２４および給電点形成導体部２３の残余の導電基板１０を地板部２１とした単一線状・スロット各素子部一体形広帯域平板状アンテナ１１である。
［請求形態１および請求形態２の効果］
請求形態１および請求形態２に記載の単一線状・スロット各素子部一体形広帯域平板状アンテナによれば、コストアップがほとんどなく、またこれらの収納スペースのために携帯電子機器の寸法、形状、デザインなどが制約されることなく、本来目標としたアンテナの信号の指向性が得られる広帯域および多帯域化に共用できる携帯電子機器を実現することができる。線状素子部の動作周波数とスロット素子部の動作周波数とは、異なる動作周波数を選定して２つの動作周波数帯域の一体形アンテナとすることができる。また、線状素子部の動作周波数とスロット素子部の動作周波数とを、隣接させた動作周波数を選定して連続した広帯域の動作周波数帯域の一体形アンテナとすることができる。
請求形態３の発明は、図８に示すように、導電基板１０の外周部の一部に平行に第１一端開放非導電面２５ａを導電基板１０に設けて外周部の一部と第１一端開放非導電面２５ａとの間に第１線状素子部２２ａを形成し、
上記第１一端開放非導電面２５ａに平行に導電基板１０に第２一端開放非導電面２５ｂを設けて上記第２一端開放非導電面２５ｂと第１一端開放非導電面２５ａとの間に第２線状素子部２２ｂを形成し、
上記第２一端開放非導電面２５ｂに平行に導電基板１０に閉塞長方形非導電面を設けてスロット素子部２４を形成し、
第２線状素子部２２ｂとスロット素子部２４との間に形成される給電点形成導電部２３に非導電部２８を設けて上記非導電部２８の両端を複合素子給電点１４とし、
上記複数の線状素子部およびスロット素子部２４および給電点形成導電部２３の残余の導電基板１０を地板部２１とした複数線状・スロット各素子部一体形広帯域平板状アンテナ１２である。
請求形態４の発明は、図８に示すように、導電基板１０の外周部の一部に平行に第１一端開放空間部２５ａを導電基板１０に設けて外周部の一部と第１一端開放空間部２５ａとの間に第１線状素子部２２ａを形成し、
上記第１一端開放空間部２５ａに平行に導電基板１０に第２一端開放空間部２５ｂを設けて上記第２一端開放空間部２５ｂと第１一端開放空間部２５ａとの間に第２線状素子部２２ｂを形成し、
上記第２一端開放空間部２５ｂに平行に導電基板１０にスロットを設けてスロット素子部２４を形成し、
第２線状素子部２２ｂとスロット素子部２４との間に形成される給電点形成導体部２３に開口部２８を設けて上記開口部２８の両端を複合素子給電点１４とし、
上記複数の線状素子部およびスロット素子部２４および給電点形成導体部２３の残余の導電基板１０を地板部２１とした複数線状・スロット各素子部一体形広帯域平板状アンテナ１２である。
［請求形態３および請求形態４の効果］
請求形態３および請求形態４の複数線状・スロット各素子部一体形広帯域平板状アンテナによれば、請求形態１および請求形態２に記載の単一線状・スロット各素子部一体形広帯域平板状アンテナよりもさらに広帯域および多帯域化に共用できる携帯電子機器を実現することができる。第１線状素子部の動作周波数と第２線状素子部の動作周波数とスロット素子部の動作周波数とは、異なる動作周波数を選定して３つの動作周波数帯域の一体形アンテナとすることができる。また、第１線状素子部の動作周波数と第２線状素子部の動作周波数とスロット素子部の動作周波数とを、隣接させた動作周波数を選定して連続した広帯域の動作周波数帯域の一体形アンテナとすることができる。
請求形態５の発明は、導電基板１０の外周部の一部に平行に第１一端開放非導電面２５ａを導電基板１０に設けて外周部の一部と第１一端開放非導電面２５ａとの間に第１線状素子部２２ａを形成し、
上記第１一端開放非導電面２５ａに平行に導電基板１０に第２一端開放非導電面２５ｂないし第Ｎ一端開放非導電面２５ｎの複数の一端開放非導電面を設けて上記各一端開放非導電面の間に第２線状素子部２２ｂないし第Ｎ線状素子部２２ｎの複数の線状素子部を形成し、
上記第Ｎ一端開放非導電面２５ｎに平行に導電基板１０に閉塞長方形非導電面を設けてスロット素子部２４を形成し、
第Ｎ一端開放非導電面２５ｎとスロット素子部２４との間に形成される給電点形成導電部２３に非導電部２８を設けて上記非導電部２８の両端を複合素子給電点１４とし、
上記複数の線状素子部およびスロット素子部２４および給電点形成導電部２３の残余の導電基板１０を地板部２１とした複数線状・スロット各素子部一体形広帯域平板状アンテナである。
請求形態６の発明は、図１１Ａに示すように、第１発明の発明の請求形態１から第１発明の請求形態５までに記載の複合素子給電点１４に、同軸ケーブルの外部導体５ｂの外周に２つの動作周波数の内の第１の動作周波数の１／４波長の長さの第１円筒導電体１９ａを配置し、さらに、その第１円筒導電体１９ａの外周に２つの動作周波数の内の第２の動作周波数の１／４波長の長さの第２円筒導電体１９ｂを配置して、第１円筒導電体１９ａおよび第２円筒導電体１９ｂを同軸ケーブルの外部導体５ｂに短絡する２つの動作周波数用シュペルトプフ１９を使用して接続した広帯域平板状アンテナである。
［第２発明の請求形態］
請求形態７の発明は、図１３に示すように、導電基板１０の外周部の一部に平行に第１一端開放非導電面２５ａを導電基板１０に設けて、外周部の一部と第１一端開放非導電面２５ａとの間に導電基板１０の外周部側の長さが短い第１線状素子部３０ａを形成し、
上記第１一端開放非導電面２５ａに平行に導電基板１０に第２一端開放非導電面２５ｂを設けて上記第２一端開放非導電面２５ｂと第１一端開放非導電面２５ａとの間に第１線状素子部３０ａよりも長さが長い第２線状素子部３０ｂを形成し、
上記第２一端開放非導電面２５ｂに平行に導電基板１０に閉塞長方形非導電面を設けてスロット素子部２４を形成し、
第２線状素子部３０ｂとスロット素子部２４との間に形成される給電点形成導電部２３に非導電部２８を設けて上記非導電部２８の両端を複合素子給電点１４とし、
第１線状素子部３０ａと給電点形成導体部２３とを第１導体部３１で接続し、
上記複数の線状素子部およびスロット素子部２４および給電点形成導電部２３の残余の導電基板１０を地板部２１とした広帯域平板状アンテナ１２である。
請求形態８の発明は、図１３に示すように、導電基板１０の外周部の一部に平行に第１一端開放空間部２５ａを導電基板１０に設けて外周部の一部と第１一端開放空間部２５ａとの間に第１線状素子部３０ａを形成し、
上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長い第２線状素子部３０ｂを形成し、
上記第２一端開放空間部２５ｂに平行に導電基板１０にスロットを設けてスロット素子部２４を形成し、
第２線状素子部３０ｂとスロット素子部２４との間に形成される給電点形成導体部２３に開口部２８を設けて上記開口部２８の両端を複合素子給電点１４とし、
第１線状素子部３０ａと給電点形成導体部２３とを第１導体部３１で接続し、
上記複数の線状素子部およびスロット素子部２４および給電点形成導体部２３の残余の導電基板１０を地板部２１とした複数線状・スロット各素子部一体形広帯域平板状アンテナ１２である。
請求形態９の発明は、導電基板１０の外周部の一部に平行に第１一端開放非導電面２５ａを導電基板１０に設けて外周部の一部と第１一端開放非導電面２５ａとの間に第１線状素子部３０ａを形成し、
上記第１一端開放非導電面２５ａに平行に導電基板１０に第２一端開放非導電面２５ｂないし第Ｎ一端開放非導電面２５ｎの複数の一端開放非導電面を設けて上記各一端開放非導電面の間に第１線状素子部３０ａよりも長さが長い第２線状素子部３０ｂないし第Ｎ線状素子部２２ｎの複数の線状素子部を形成し、
上記第Ｎ一端開放非導電面２５ｎに平行に導電基板１０に閉塞長方形非導電面を設けてスロット素子部２４を形成し、
第Ｎ一端開放非導電面２５ｎとスロット素子部２４との間に形成される給電点形成導電部２３に非導電部２８を設けて上記非導電部２８の両端を複合素子給電点１４とし、
第（Ｎ−１）線状素子部３０ｎ−１と給電点形成導体部２３とを第１導体部３１で接続し、
上記複数の線状素子部およびスロット素子部２４および給電点形成導電部２３の残余の導電基板１０を地板部２１とした広帯域平板状アンテナである。
請求形態１０の発明は、図１３において、第２線状素子部の給電点１４ｂを各素子共通地板短絡導電部２６と第２線状素子部３０ｂとの連接部と給電点形成導体部２３とに形成した突出部（素子・地板短絡連接部突出第２導体部３２ａ）に設け、一方の給電点１４ａを給電点形成導体部２３に設けた広帯域平板状アンテナである。
請求形態１１の発明は、図１４において、第２線状素子部の給電点１４ｂを各素子共通地板短絡導電部２６の突出部（各素子共通地板短絡導電部突出第２導体部３２ｂ）に設け、一方の給電点１４ａを給電点形成導体部２３に設けた広帯域平板状アンテナである。
請求形態１２の発明は、図１５において、第２線状素子部の給電点１４ｂ（他方の給電点１４ｂ）を第２線状素子部３０ｂの突出部（第２素子部突出第２導体部３２ｃ）に設け、一方の給電点１４ａを給電点形成導体部２３に設けた広帯域平板状アンテナである。
［第３発明の請求形態］
請求形態１３の発明は、複合素子部を第１線状素子部３０ａないし第３線状素子部３０ｃによって形成し、第２線状素子部３０ｂの長さを第１線状素子部３０ａよりも長くし、（ａ）第１線状素子部３０ａの方向に拡大することによって、または（ｂ）第３線状素子部３０ｃの方向に拡大することによって、または（ｃ）第１線状素子部３０ａおよび第３線状素子部３０ｃの方向に拡大するとともに、第３線状素子部３０ｃの長さを第２線状素子部３０ｂよりも短くして、第２線状素子部３０ｂの面積および第２線状素子部３０ｂから地板部２１の間の非導電面の面積を拡大し、
各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａの各素子共通地板短絡導電部２６の近傍と第３線状素子部３０ｃの各素子共通地板短絡導電部２６の近傍とを第１導体部３１で接続した第３発明の複数線状各素子部一体形広帯域平板状アンテナである。
請求形態１４の発明は、図１６に示すように、複合素子部を第１線状素子部３０ａないし第３線状素子部３０ｃによって形成し、第２線状素子部３０ｂの長さを第１線状素子部３０ａよりも長くし、第３線状素子部３０ｃの長さを第２線状素子部３０ｂよりも短くして第２線状素子部３０ｂから地板部２１の間の非導電面の面積を拡大し、各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａの各素子共通地板短絡導電部２６の近傍と第３線状素子部３０ｃの各素子共通地板短絡導電部２６の近傍とを第１導体部３１で接続した第３発明の複数線状各素子部一体形広帯域平板状アンテナである。
請求形態１５の発明は、図１において、複合素子部を第１線状素子部３０ａないし第３線状素子部３０ｃによって形成し、第２線状素子部３０ｂの長さを第１線状素子部３０ａよりも長くし面積を第１線状素子部３０ａの方向に拡大し、第３線状素子部３０ｃの長さを第２線状素子部３０ｂよりも短くして第２線状素子部３０ｂから地板部２１の間の非導電面の面積を拡大し、各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａの各素子共通地板短絡導電部２６の近傍と第３線状素子部３０ｃの各素子共通地板短絡導電部２６の近傍とを第１導体部３１で接続した第３発明の複数線状各素子部一体形広帯域平板状アンテナである。
請求形態１６の発明は、図１７において、複合素子部を第１線状素子部３０ａないし第３線状素子部３０ｃによって形成し、第２線状素子部３０ｂの長さを第１線状素子部３０ａよりも長くし面積を第１線状素子部３０ａおよび第３線状素子部３０ｃの方向に拡大し、第３線状素子部３０ｃの長さを第２線状素子部３０ｂよりも短くして第２線状素子部３０ｂから地板部２１の間の非導電面の面積を拡大し、各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａの各素子共通地板短絡導電部２６の近傍と第３線状素子部３０ｃの各素子共通地板短絡導電部２６の近傍とを第１導体部３１で接続した第３発明の複数線状各素子部一体形広帯域平板状アンテナである。
請求形態１７の発明は、図１８に示すように、複合素子部と地板部２１とを形成する導電基板１０から成る平板状アンテナにおいて、
導電基板１０の外周部の一部に平行に第１一端開放非導電面２５ａを導電基板１０に設けて外周部の一部と第１一端開放非導電面２５ａとの間に第１線状素子部３０ａを形成し、
上記第１一端開放非導電面２５ａに平行に導電基板１０に第２一端開放非導電面２５ｂないし第Ｎ一端開放非導電面２５ｎを設けて上記第２一端開放非導電面２５ｂと第Ｎ一端開放非導電面２５ｎとの間に第２線状素子部３０ｂないし第Ｎ線状素子部３０ｎを形成し、地板部２１に２番目に近い第（Ｎ−１）線状素子部３０ｎ−１は地板部２１に３番目に近い第（Ｎ−２）線状素子部３０ｎ−２および地板部２１に１番に近い第Ｎ線状素子部３０ｎよりも長さが長く、第（Ｎ−１）線状素子部３０ｎ−１の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部３０ｎ−１と地板部２１との間の非導電部分の面積を拡大し、
各素子を共通に地板部２１に短絡する導電部分を各素子共通地板短絡導電部２６とし、
第（Ｎ−１）線状素子部３０ｎ−１の上記各素子共通地板短絡導電部２６の近傍に一方の給電点１４ａを設け、
第Ｎ線状素子部３０ｎの上記各素子共通地板短絡導電部２６の近傍に他方の給電点１４ｂを設けるとともに、
第（Ｎ−２）線状素子部３０ｎ−２の上記各素子共通地板短絡導電部２６の近傍と第Ｎ線状素子部３０ｎの上記各素子共通地板短絡導電部２６の近傍とを第１導体部３１で接続した広帯域平板状アンテナである。
以上の請求形態１ないし請求形態１７に共通して実施することができ、各請求形態の効果を向上させる平板状アンテナは、下記のとおりである。
（１）給電点に同軸ケーブルの内部導体および外部導体を接続した広帯域平板状アンテナ。
（２）給電点にシュペルトプフを付加した同軸ケーブルの内部導体および外部導体を接続した広帯域平板状アンテナ。
（３）同軸ケーブルの外部導体の外周に２つの動作周波数の内の第１の動作周波数の１／４波長の長さの第１円筒導電体を配置し、さらに上記第１円筒導電体の外部に２つの動作周波数の内の第２の動作周波数の１／４波長の長さの第２円筒導電体を配置して上記第１円筒導電体および上記第２円筒導電体を同軸ケーブルの外部導体に短絡する２つの動作周波数シュペルトプフを有する広帯域平板状アンテナ。
【実施例】  ［第１発明の実施例１］
以下に、第１発明の実施例の構成を図面を参照して説明する。第１発明の実施例１は、単一線状・スロット各素子部一体形広帯域平板状アンテナである。図７は、第１発明の単一線状・スロット各素子部一体形広帯域平板状アンテナの電気的等価図である。
図７に示す単一線状・スロット各素子部一体形アンテナ１１は、次の構成を有している。
（１）導電基板１０の外周部の一部に平行に一端開放非導電面２５を導電基板１０に設けて外周部の一部と一端開放非導電面２５との間に線状素子部２２を形成し、
（２）上記一端開放非導電面２５に平行に導電基板１０に閉塞長方形非導電面を設けてスロット素子部２４を形成し、
（３）一端開放非導電面２５とスロット素子部２４との間に形成される給電点形成導電部２３に非導電部２８を設けて上記非導電部２８の両端を複合素子給電点１４とし、
（４）上記線状素子部２２およびスロット素子部２４および給電点形成導電部２３の残
余の導電基板１０の導電部を地板部２１としている。
上記の構成において、一端開放非導電面２５またはスロット素子部２４は、導電体を切欠削除してもよいし、導電基板１０の導電面をエッチング削除したり、導電被膜付着基板製作時に導電被膜を非付着にするなどによって非導電面を形成すればよい。
導電基板１０に導電体を使用して、上記導電体を切欠削除して、一端開放空間部２５またはスロット素子部２４を形成した場合の単一線状・スロット各素子部一体形アンテナ１１の構成はつぎのとおりである。
（１）導電基板１０の外周部の一部に平行に一端開放空間部２５を導電基板１０に設けて外周部の一部と一端開放空間部２５との間に線状素子部２２を形成し、
（２）上記一端開放空間部２５に平行に導電基板１０にスロットを設けてスロット素子部２４を形成し、
（３）一端開放空間部２５とスロット素子部２４との間に形成される給電点形成導体部２３に開口部２８を設けて開口部２８の両端を複合素子給電点１４とし、
（４）上記線状素子部２２およびスロット素子部２４および給電点形成導体部２３の残余の導電基板１０を地板部２１としている。
［第１発明の実施例２］
次に、第１発明の実施例２は、実施例１の単一線状素子部を２個にした複数線状・スロット各素子部一体形広帯域平板状アンテナである。図８は、第１発明の複数線状・スロット各素子部一体形広帯域平板状アンテナの電気的説明図である。
図８に示す複数線状・スロット各素子部一体形アンテナ１２は、次の構成を有している。
（１）導電基板１０の外周部の一部に平行に第１一端開放非導電面２５ａを導電基板１０に設けて外周部の一部と第１一端開放非導電面２５ａとの間に第１線状素子部２２ａを形成し、
（２）上記第１一端開放非導電面２５ａに平行に導電基板１０に第２一端開放非導電面２５ｂを設けて上記第２一端開放非導電面２５ｂと第１一端開放非導電面２５ａとの間に第２線状素子部２２ｂを形成し、
（３）上記第２一端開放非導電面２５ｂに平行に導電基板１０に閉塞長方形非導電面を設けてスロット素子部２４を形成し、
（４）第２線状素子部２２ｂとスロット素子部２４との間に形成される給電点形成導電部２３に非導電部２８を設けて上記非導電部２８の両端を複合素子給電点１４とし、
（５）上記２個の線状素子部およびスロット素子部２４および給電点形成導電部２３の残余の導電基板１０を地板部２１としている。
導電基板１０に導電体を使用して、上記導電体を切欠削除して、一端開放空間部２５またはスロット素子部２４を形成した場合の複数線状・スロット各素子部一体形アンテナ１２の構成はつぎのとおりである。
（１）導電基板１０の外周部の一部に平行に第１一端開放空間部２５ａを導電基板１０に設けて外周部の一部と第１一端開放空間部２５ａとの間に第１線状素子部２２ａを形成し、
（２）上記第１一端開放空間部２５ａに平行に導電基板１０に第２一端開放空間部２５ｂを設けて上記第２一端開放空間部２５ｂと第１一端開放空間部２５ａとの間に第２線状素子部２２ｂを形成し、
（３）上記第２一端開放空間部２５ｂに平行に導電基板１０にスロットを設けてスロット素子部２４を形成し、
（４）第２線状素子部２２ｂとスロット素子部２４との間に形成される給電点形成導体部２３に開口部２８を設けて上記開口部２８の両端を複合素子給電点１４とし、
（５）上記２個の線状素子部およびスロット素子部２４および給電点形成導体部２３の残余の導電基板１０を地板部２１としている。
［第１発明の実施例３］
第１発明の図示していない実施例３は、実施例２の２個の線状素子部を３個以上の複数にした複数線状・スロット各素子部一体形広帯域平板状アンテナである。実施例２と同様であるので説明を省略する。
上記の実施例１ないし実施例３の第１発明において、図７に示す単一線状・スロット各素子部一体形アンテナ１１および図８に示す２個の線状・スロット各素子部一体形アンテナ１２および複数線状・スロット各素子部一体形アンテナの実施例は種々の変形を伴う。導電基板１０の外周部とは、導電体を切欠削除などの加工をする前の導電体の外周部をいい、長方形、正方形が一般的であるが、外周部は直線以外に、一部または全部が曲線であってもよい。導電基板１０の外周部の一部とは、長方形、正方形では４辺の内の１辺が一般的であるが、外周部に曲線を含んだ外周部の一部であってもよい。
線状素子部２２もしくは地板部２１または第１線状素子部２２ａと第２線状素子部２２ｂと地板部２１とによって、いわゆるモノポールアンテナの変形である平板状逆Ｆアンテナ１が形成され、線状素子部とスロット素子部２４との双方を同時に励振することができる。線状素子部とスロット素子部２４とによってそれぞれ異なる動作周波数帯域で機能させる。
図７の実施例において、単一線状・スロット各素子部一体形アンテナ１１を長方形とし、その寸法を下記のように仮定する。ａ：導電基板１０の線状・スロット各素子部と平行方向の長さ、ｂ：導電基板１０の線状・スロット各素子部と直交方向の長さ、ｃ：一端開放空間部２５の幅、ｄ：線状素子部２２の長さ、ｅ：線状素子部２２の幅、ｆ：各素子共通地板短絡導電部２６の幅、ｇ：スロット素子部２４の長さ、ｈ：給電点形成導体部２３の幅、ｉ：スロット素子部２４の幅、ｊ：スロット素子・地板短絡部２７の幅およびｋ：開口部２８の長さ、ｙ１：複合素子部長さ、ｙ２：地板部長さ。
上記の単一線状・スロット各素子部一体形アンテナ１１において、線状素子部２２の長さｄは、動作周波数の略１／４波長の奇数倍である。スロット素子部２４の長さｇは、動作周波数の略１／２波長の整数倍である。線状素子部２２の動作周波数とスロット素子部２４の動作周波数とは、異なる動作周波数を選定して２つの動作周波数帯域の一体形アンテナとすることができる。また、線状素子部２２の動作周波数とスロット素子部２４の動作周波数とを、隣接させた動作周波数を選定して連続した広帯域の動作周波数帯域の一体形アンテナとすることができる。
図８の実施例において、複数線状・スロット各素子部一体形アンテナ１２を長方形とし、一体形アンテナ１１で使用していない寸法を下記のように仮定する。ｃ１：第１一端開放空間部２５ａの幅、ｃ２：第２一端開放空間部２５ｂの幅、ｄ１：第１線状素子部２２ａの長さ、ｄ２：第２線状素子部２２ｂの長さ、ｅ１：第１線状素子部２２ａの幅、ｅ２：第２線状素子部２２ｂの幅、ｙ１：複合素子部長さ、ｙ２：地板部長さ。
上記の複数線状・スロット各素子部一体形アンテナ１２においても、第１線状素子部２２ａの長さｄ１および第２線状素子部２２ｂの長さｄ２は、動作周波数の略１／４波長の奇数倍である。スロット素子部２４の長さｇは、動作周波数の略１／２波長の整数倍である。第１線状素子部２２ａの動作周波数と第２線状素子部２２ｂの動作周波数とスロット素子部２４の動作周波数とは、異なる動作周波数を選定して３つの動作周波数帯域の一体形アンテナとすることができる。また、第１線状素子部２２ａの動作周波数と第２線状素子部２２ｂの動作周波数とスロット素子部２４の動作周波数とを、隣接させた動作周波数を選定して連続した広帯域の動作周波数帯域の一体形アンテナとすることもできる。
図９は、図７に示す第１発明の単一線状・スロット各素子部一体形広帯域平板状アンテナの給電点に給電線を接続する第１の給電線接続図である。同図において、給電点形成導体部２３の開口部２８の複合素子給電点１４の一方の給電点１４ａ（内部導体５ａのハンダ付け部１４ａ）に同軸ケーブルの内部導体５ａを接続し、他方の給電点１４ｂ（外部導体５ｂのハンダ付け部１４ｂ）に同軸ケーブルの外部導体５ｂを接続する。同軸ケーブル５の他端を図示していない無線機回路に接続する。
図１０は、図７に示す第１発明の単一線状・スロット各素子部一体形広帯域平板状アンテナの給電点に給電線を接続する第２の給電線接続図である。図９と同様に、同軸ケーブル５を複合素子給電点１４と無線機回路とに接続する。
図６Ｄは、従来技術の平板状アンテナの電気的等価図の給電点に、単一の給電線を接続するためのシュペルトプフを使用して給電線を接続する給電線接続図である。シュペルトプフ９とは、同軸ケーブル５の外部導体５ｂを給電点４に設けた箇所から外部導体５ｂに沿って外部導体５ｂの外側の面上に発生する不要電流を防止するための円筒導電体をいう。図６Ａは同軸ケーブルにシュペルトプフを付けた場合の外観図であり、図６Ｂは構造説明図であり、図６Ｃは断面図である。
図１１Ａは、図７に示す第１発明の広帯域平板状アンテナの給電点に、２つの動作周波数用シュペルトプフを使用して給電線を接続する給電線接続図である。
図１１Ｂに示す２つの動作周波数用シュペルトプフ１９は、同軸ケーブル５の外部導体５ｂを給電点１４ｂに接続した箇所から外部導体５ｂに沿って外部導体５ｂの外側の面上に発生する不要電流を防止するために、同軸ケーブルの外部導体５ｂの外周に２つの動作周波数の内の第１の動作周波数の１／４波長の長さの第１円筒導電体１９ａを配置し、さらに、その第１円筒導電体１９ａの外周に２つの動作周波数の内の第２の動作周波数の１／４波長の長さの第２円筒導電体１９ｂを配置して、第１円筒導電体１９ａおよび第２円筒導電体１９ｂを同軸ケーブルの外部導体５ｂに接続した円筒導電体である。
上記図１１Ｂは、図７に示す第１発明の単一線状・スロット各素子部一体形広帯域平板状アンテナの電気的等価図の給電点における２つの動作周波数用シュペルトプフを示したが、図８に示す第１発明の複数線状・スロット各素子部一体形広帯域平板状アンテナの電気的等価図の給電点における３つの動作周波数用シュペルトプフにおいては、第１円筒導電体１９ａおよび第２円筒導電体１９ｂの他に、第３円筒導電体を追加して、これら３つの円筒導電体を同軸３重にしてそれぞれ同軸ケーブルの外部導体５ｂに接続すればよい。
図１２は、図８に示す第１発明の複数線状・スロット各素子部一体形広帯域平板状アンテナ１２の反射特性図である。同図は、横軸に複数線状・スロット各素子部一体形広帯域平板状アンテナ給電点に入出力する動作周波数［ＧＨｚ］を選定し、縦軸に各周波数に対するアンテナ形状によって特定される反射損失（リターンロス）［ｄＢ］を測定した反射特性図である。同図において、実線Ｓは、図８に示す第１発明の複数線状・スロット各素子部一体形広帯域平板状アンテナ１２の反射特性図である。
同図には、（ａ）図３に示す従来技術１の逆Ｆアンテナ１の線状素子部１ｂの寸法を第１発明の一体形アンテナの第１線状素子部２２ａの寸法に合わせた場合の反射特性Ｒａと（ｂ）従来技術１の平板状逆Ｆアンテナ１の線状素子部１ｂの寸法を第１発明の一体形アンテナの第２線状素子部２２ｂの寸法に合わせた場合の反射特性Ｒｂと（ｃ）図４に示す従来技術２のスロットアンテナスロット開口部２ｂの寸法を第１発明の一体形アンテナのスロット素子部２４の寸法に合わせた場合の反射特性Ｒｃとを点線で示して対比している。
同図の特性Ｓｂｃの部分は、図８の一体形アンテナの第２線状素子部２２ｂとスロット素子部２４が中心的に寄与して得られる特性であり、各々の動作周波数を近づけていくことにより、同図に示すように、反射損失が許容レベルよりも低くなる周波数帯域を従来技術のアンテナの特性ＲｂおよびＲｃの個々の周波数帯域の合計よりも大幅に拡大できる。
［第２発明の実施例４］
第２発明の実施例４を図１３に示す。図１３は、各素子共通地板短絡導電部２６と第２線状素子部３０ｂとの連接部に突出部（素子・地板短絡連接部突出第２導体部３２ａ）が形成されるように、給電点形成導体部２３に開口部２８を設け、他方の給電点１４ｂを素子・地板短絡連接部突出第２導体部３２ａに設け、一方の給電点１４ａを給電点形成導体部２３に設けた複数線状・スロット各素子部一体形広帯域平板状アンテナの電気的等価図である。
図１３に示す広帯域平板状アンテナ１２は、次の構成を有している。
（１）導電基板１０の外周部の一部に平行に第１一端開放非導電面２５ａを導電基板１０に設けて外周部の一部と第１一端開放非導電面２５ａとの間に第１線状素子部３０ａを形成し、
（２）上記第１一端開放非導電面２５ａに平行に導電基板１０に第２一端開放非導電面２５ｂを設けて上記第２一端開放非導電面２５ｂと第１一端開放非導電面２５ａとの間に第１線状素子部３０ａよりも長さが長い第２線状素子部３０ｂを形成し、
（３）上記第２一端開放非導電面２５ｂに平行に導電基板１０に閉塞長方形非導電面を設けてスロット素子部２４を形成し、
（４）第２線状素子部３０ｂとスロット素子部２４との間に形成される給電点形成導電部２３に非導電部２８を設けて上記非導電部２８の両端を複合素子給電点１４とし、
（５）第１線状素子部３０ａと給電点形成導体部２３とを第１導体部３１で接続し、
（６）上記２個の線状素子部およびスロット素子部２４および給電点形成導電部２３の残余の導電基板１０を地板部２１としている。
図１３において、導電基板１０に導電体を使用して、上記導電体を切欠削除して、一端開放空間部２５またはスロット素子部２４を形成した場合の広帯域平板状アンテナ１２の構成はつぎのとおりである。
（１）導電基板１０の外周部の一部に平行に第１一端開放空間部２５ａを導電基板１０に設けて外周部の一部と第１一端開放空間部２５ａとの間に第１線状素子部３０ａを形成し、
（２）上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長い第２線状素子部３０ｂを形成し、
（３）上記第２一端開放空間部２５ｂに平行に導電基板１０にスロットを設けてスロット素子部２４を形成し、
（４）第２線状素子部３０ｂとスロット素子部２４との間に形成される給電点形成導体部２３に開口部２８を設けて上記開口部２８の両端を複合素子給電点１４とし、
（５）第１線状素子部３０ａと給電点形成導体部２３とを第１導体部３１で接続し、
（６）上記２個の線状素子部およびスロット素子部２４および給電点形成導体部２３の残余の導電基板１０を地板部２１としている。
図１３において、広帯域平板状アンテナ１２の寸法を下記のように仮定する。ａ：導電基板１０の線状・スロット各素子部と平行方向の長さ、ｂ：導電基板１０の線状・スロット各素子部と直交方向の長さ、ｃ１：第１一端開放空間部２５ａの幅、ｃ２：第２一端開放空間部２５ｂの幅、ｄ１：第１線状素子部３０ａの長さ、ｄ２：第２線状素子部３０ｂの長さ、ｅ１：第１線状素子部３０ａの幅、ｅ２：第２線状素子部３０ｂの幅、ｆ：各素子共通地板短絡導電部２６の幅、ｇ：スロット素子部２４の長さ、ｈ：給電点形成導体部２３の幅、ｉ：スロット素子部２４の幅、ｊ：スロット素子・地板短絡部２７の幅およびｋ：開口部２８の長さとする。また、上記給電点形成導体部２３の給電点１４ａ（以下、一方の給電点１４ａという）と各素子共通地板短絡導電部２６または上記各素子共通地板短絡導電部２６に近接した第２線状素子部３０ｂの給電点１４ｂ（以下、他方の給電点１４ｂという）とが複合素子給電点１４を形成する。
広帯域平板状アンテナ１２において、第１線状素子部３０ａの長さｄ１および第２線状素子部３０ｂの長さｄ２は、動作周波数の略１／４波長の奇数倍である。スロット素子部２４の長さｇは、動作周波数の略１／２波長の整数倍である。第１線状素子部３０ａの動作周波数と第２線状素子部３０ｂの動作周波数とスロット素子部２４の動作周波数とは、異なる動作局波数を選定して３つの動作周波数帯域の一体形アンテナとすることができる。また、第１線状素子部３０ａの動作周波数と第２線状素子部３０ｂの動作周波数とスロット素子部２４の動作周波数とを、隣接させた動作周波数を選定して連続した広帯域の動作周波数帯域の一体形アンテナとすることもできる。
さらに、第１導体部３１と第２線状素子部３０ｂとを絶縁するために、第１導体部３１もしくは第２線状素子部３０ｂの一方または両者を絶縁体で覆うことが望ましい。第１導体部３１は、電線、テープ状の導体、これらを被覆した導体、被覆ケーブルなどを用いる。第１線状素子部３０ａと給電点形成導体部２３とを接続する第１導体部３１の接続点または接合点は、半田付けなどで接合する。導電基板１０に対して上記給電用ケーブル、給電線、同軸ケーブルなどを給電点に接合する面と第１導体部３１を給電点に接合する面とは、同一面または互いに反対になる面のいずれでもよい。
［第２発明の実施例５］
第２発明の実施例５は、図１３に示すように、導電基板１０の外周部の一部に平行に第１一端間放空間部２５ａを導電基板１０に設けて外周部の一部と第１一端開放空間部２５ａとの間に第１線状素子部３０ａを形成し、
上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長い第２線状素子部３０ｂを形成し、
上記第２一端開放空間部２５ｂに平行に導電基板１０にスロットを設けてスロット素子部２４を形成し、
第２線状素子部３０ｂとスロット素子部２４との間に形成される給電点形成導体部２３に開口部２８を設けて、各素子を共通に地板部２１に短絡する導電部分を各素子共通地板短絡導電部２６とし、
上記開口部２８の両端に接続する一方の給電点１４ａを給電点形成導体部２３に設け、他方の給電点１４ｂを各素子共通地板短絡導電部２６と第２線状素子部３０ｂとの連接部に形成した突出部（素子・地板短絡連接部突出第２導体部３２ａ）に設けるとともに、
第１線状素子部３０ａと給電点形成導体部２３とを第１導体部３１で接続し、
上記複数の線状素子部およびスロット素子部２４および給電点形成導体部２３の残余の導電基板１０を地板部２１とした複数線状・スロット各素子部一体形広帯域平板状アンテナ１２である。
［第２発明の実施例６］
第２発明の実施例６は、図１４に示すように、導電基板１０の外周部の一部に平行に第１一端開放空間部２５ａを導電基板１０に設けて外周部の一部と第１一端開放空間部２５ａとの間に第１線状素子部３０ａを形成し、
上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長い第２線状素子部３０ｂを形成し、
上記第２一端開放空間部２５ｂに平行に導電基板１０にスロットを設けてスロット素子部２４を形成し、
第２線状素子部３０ｂとスロット素子部２４との間に形成される給電点形成導体部２３に開口部２８を設けて、各素子を共通に地板部２１に短絡する導電部分を各素子共通地板短絡導電部２６とし、
上記開口部２８の両端に接続する一方の給電点１４ａを給電点形成導体部２３に設け、他方の給電点１４ｂを各素子共通地板短絡導電部２６の突出部（各素子共通地板短絡導電部突出第２導体部３２ｂ）に設けるとともに、
第１線状素子部３０ａと給電点形成導体部２３とを第１導体部３１で接続し、
上記複数の線状素子部およびスロット素子部２４および給電点形成導体部２３の残余の導電基板１０を地板部２１とした複数線状・スロット各素子部一体形広帯域平板状アンテナ１２である。
［第２発明の実施例７］
第２発明の実施例７は、図１５に示すように、導電基板１０の外周部の一部に平行に第１一端開放空間部２５ａを導電基板１０に設けて外周部の一部と第１一端開放空間部２５ａとの間に第１線状素子部３０ａを形成し、
上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長い第２線状素子部３０ｂを形成し、
上記第２一端開放空間部２５ｂに平行に導電基板１０にスロットを設けてスロット素子部２４を形成し、
第２線状素子部３０ｂとスロット素子部２４との間に形成される給電点形成導体部２３に開口部２８を設けて、各素子を共通に地板部２１に短絡する導電部分を各素子共通地板短絡導電部２６とし、
上記開口部２８の両端に接続する一方の給電点１４ａを給電点形成導体部２３に設け、他方の給電点１４ｂを第２線状素子部３０ｂに突出部（第２素子部突出第２導体部３２ｃ）に設けるとともに、
第１線状素子部３０ａと給電点形成導体部２３とを第１導体部３１で接続し、
上記複数の線状素子部およびスロット素子部２４および給電点形成導体部２３の残余の導電基板１０を地板部２１とした複数線状・スロット各素子部一体形広帯域平板状アンテナ１２である。
［第３発明の実施例８］
第３発明の実施例８は、図１６に示すように、複合素子部を第１線状素子部３０ａないし第３線状素子部３０ｃから形成し、第２線状素子部３０ｂの長さを第１線状素子部３０ａよりも長くし、第３線状素子部３０ｃの長さを第２線状素子部３０ｂよりも短くして第２線状素子部３０ｂと地板部２１との間の非導電部分の面積を拡大し、各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａと第３線状素子部３０ｃとを第１導体部３１で接続した第３発明の複数線状各素子部一体形広帯域平板状アンテナである。
図１６に示す複数線状各素子部一体形広帯域平板状アンテナ２０は、次の構成を有している。
（１）導電基板１０の外周部の一部に平行に第１一端開放非導電面２５ａを導電基板１０に設けて外周部の一部と第１一端開放非導電面２５ａとの間に第１線状素子部３０ａを形成し、
（２）上記第１一端開放非導電面２５ａに平行に導電基板１０に第２一端開放非導電面２５ｂを設けて上記第２一端開放非導電面２５ｂと第１一端開放非導電面２５ａとの間に第１線状素子部３０ａよりも長さが長い第２線状素子部３０ｂを形成し、
（３）上記第２一端開放非導電面２５ｂに平行に導電基板に第３一端開放空間部２５ｃを設けて、上記第３一端開放非導電面２５ｃと第２一端開放非導電面２５ｂとの間に第２線状素子部３０ｂよりも長さが短い第３線状素子部３０ｃを形成して、第２線状素子部３０ｂおよび第２線状素子部３０ｂと地板部２１との間の非導電部分の面積を拡大し、各素子を共通に地板部２１に短絡する導電部分を各素子共通地板短絡導電部２６とし、
（４）第２線状素子部３０ｂの各素子共通地板短絡導電部２６の近傍に一方の給電点１４ａを設け、
（５）第３線状素子部３０ｃの各素子共通地板短絡導電部２６の近傍に他方の給電点１４ｂを設けるとともに、
（６）第１線状素子部３０ａの上記各素子共通地板短絡導電部２６の近傍と第３線状素子部３０ｃの上記各素子共通地板短絡導電部２６の近傍とを第１導体部３１で接続している。
図１６において、導電基板１０に導電体を使用して、上記導電体を切欠削除して、一端開放空間部２５および第２線状素子部３０ｂを形成した場合の複数線状各素子部一体形広帯域平板状アンテナ２０の構成はつぎのとおりである。
（１）導電基板１０の外周部の一部に平行に第１一端開放空間部２５ａを導電基板１０に設けて外周部の一部と第１一端開放空間部２５ａとの間に第１線状素子部３０ａを形成し、
（２）上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長い第２線状素子部３０ｂを形成し、
（３）上記第２一端開放空間部２５ｂに平行に導電基板に第３一端開放空間部２５ｃを設けて、上記第３一端開放空間部２５ｃと第２一端開放非導電面２５ｂとの間に第２線状素子部３０ｂよりも長さが短い第３線状素子部３０ｃを形成して、第２線状素子部３０ｂおよび第２線状素子部３０ｂから地板部２１の間の空間部分の面積を拡大し、各素子を共通に地板部２１に短絡する導電部分を各素子共通地板短絡導電部２６とし、
（４）第２線状素子部３０ｂの各素子共通地板短絡導電部２６の近傍に一方の給電点１４ａを設け、
（５）第３線状素子部３０ｃの各素子共通地板短絡導電部２６の近傍に他方の給電点１４ｂを設けるとともに、
（６）第１線状素子部３０ａの上記各素子共通地板短絡導電部２６の近傍と第３線状素子部３０ｃの上記各素子共通地板短絡導電部２６の近傍とを第１導体部３１で接続している。
［第３発明の実施例９］
第３発明の実施例９は、図１に示すように、複合素子部を第１線状素子部３０ａないし第３線状素子部３０ｃから形成し、第２線状素子部３０ｂの長さを第１線状素子部３０ａおよび第３線状素子部３０ｃよりも長くし、第２線状素子部３０ｂの面積を第１線状素子部３０ａ方向に拡大し、第３線状素子部３０ｃの長さを面積を拡大した第２線状素子部３０ｄよりも短くして第２線状素子部３０ｂと地板部２１との間の非導電部分の面積を拡大し、各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａと第３線状素子部３０ｃとを第１導体部３１で接続した第３発明の複数線状各素子部一体形広帯域平板状アンテナである。
図１に示す複数線状各素子部一体形広帯域平板状アンテナ２０は、次の構成を有している。
（１）導電基板１０の外周部の一部に平行に第１一端開放非導電面２５ａを導電基板１０に設けて外周部の一部と第１一端開放非導電面２５ａとの間に第１線状素子部３０ａを形成し、
（２）上記第１一端開放非導電面２５ａに平行に導電基板１０に第２一端開放非導電面２５ｂを設けて上記第２一端開放非導電面２５ｂと第１一端開放非導電面２５ａとの間に第１線状素子部３０ａよりも長さが長く、第１線状素子部３０ａ方向に面積を拡大した第２線状素子部３０ｄを形成し、
（３）上記第２一端開放非導電面２５ｂに平行に導電基板に第３一端開放空間部２５ｃを設けて、上記第３一端開放空間部２５ｃと第２一端開放非導電面２５ｂとの間に第２線状素子部３０ｂよりも長さが短い第３線状素子部３０ｃを形成して第２線状素子部３０ｂと地板部２１との間の非導電部分の面積を拡大し、
各素子を共通に地板部２１に短絡する導電部分を各素子共通地板短絡導電部２６とし、
（４）第２線状素子部３０ｄの各素子共通地板短絡導電部２６の近傍に一方の給電点１４ａを設け、
（５）第３線状素子部３０ｃの各素子共通地板短絡導電部２６の近傍に他方の給電点１４ｂを設けるとともに、
（６）第１線状素子部３０ａの上記各素子共通地板短絡導電部２６の近傍と第３線状素子部３０ｃの上記各素子共通地板短絡導電部２６の近傍とを第１導体部３１で接続している。
図１において、導電基板１０に導電体を使用して、上記導電体を切欠削除して、一端開放空間部２５および各線状素子部３０を形成した場合の複数線状各素子部一体形広帯域平板状アンテナ２０の構成はつぎのとおりである。
（１）導電基板１０の外周部の一部に平行に第１一端開放空間部２５ａを導電基板１０に設けて外００周部の一部と第１一端開放空間部２５ａとの間に第１線状素子部３０ａを形成し、
（２）上記第１一端開放空間部２５ａに平行に導電基板１０に第２一端開放空間部２５ｂを設けて上記第２一端開放空間部２５ｂと第１一端開放空間部２５ａとの間に第１線状素子部３０ａよりも長さが長く、第１線状素子部３０ａ方向に面積を拡大した第２線状素子部３０ｄを形成し、
（３）上記第２一端開放空間部２５ｂに平行に導電基板に第３一端開放空間部２５ｃを設けて、上記第３一端開放空間部２５ｃと第２一端開放空間部２５ｂとの間に第２線状素子部３０ｂよりも長さが短い第３線状素子部３０ｃを形成して第２線状素子部３０ｂと地板部２１との間の空間部分の面積を拡大し、各素子を共通に地板部２１に短絡する導電部分を各素子共通地板短絡導電部２６とし、
（４）第２線状素子部３０ｄの各素子共通地板短絡導電部２６の近傍に一方の給電点１４ａを設け、
（５）第３線状素子部３０ｃの各素子共通地板短絡導電部２６の近傍に他方の給電点１４ｂを設けるとともに、
（６）第１線状素子部３０ａの上記各素子共通地板短絡導電部２６の近傍と第３線状素子部３０ｃの上記各素子共通地板短絡導電部２６の近傍とを第１導体部３１で接続している。
［第３発明の実施例１０］
第３発明の実施例１０は、図１７に示すように、複合素子部を第１線状素子部３０ａないし第３線状素子部３０ｃから形成し、第２線状素子部３０ｂの長さを第１線状素子部３０ａおよび第３線状素子部３０ｃよりも長くし、第３線状素子部３０ｃの長さを面積を拡大した第２線状素子部３０ｅよりも短くして第２線状素子部３０ｂと地板部２１との間の非導電部分の面積を拡大し、各素子を共通に地板部２１に短絡する導電部分を各素子共通地板短絡導電部２６とし、一方の給電点１４ａを第２線状素子部３０ｂに設け、他方の給電点１４ｂを第３線状素子部３０ｃに設けるとともに、第１線状素子部３０ａと第３線状素子部３０ｃとを第１導体部３１で接続した第３発明の複数線状各素子部一体形広帯域平板状アンテナである。
図１７に示す複数線状各素子部一体形広帯域平板状アンテナ２０は、次の構成を有している。
（１）導電基板１０の外周部の一部に平行に第１一端開放非導電面２５ａを導電基板１０に設けて外周部の一部と第１一端開放非導電面２５ａとの間に第１線状素子部３０ａを形成し、
（２）上記第１一端開放非導電面２５ａに平行に導電基板１０に第２一端開放非導電面２５ｂを設けて上記第２一端開放非導電面２５ｂと第１一端開放非導電面２５ａとの間に第１線状素子部３０ａおよび第３線状素子部３０ｃよりも長さが長く、第１線状素子部３０ａ方向および第３線状素子部３０ｃ方向に面積を拡大した第２線状素子部３０ｅを形成し、
（３）上記第２一端開放非導電面２５ｂに平行に第３線状素子部３０ｃを形成して第２線状素子部３０ｂと地板部２１との間の非導電部分の面積を拡大し、各素子を共通に地板部２１に短絡する導電部分を各素子共通地板短絡導電部２６とし、
（４）第２線状素子部３０ｅの各素子共通地板短絡導電部２６の近傍に一方の給電点１４ａを設け、
（５）第３線状素子部３０ｃの各素子共通地板短絡導電部２６の近傍に他方の給電点１４ｂを設けるとともに、
（６）第１線状素子部３０ａの上記各素子共通地板短絡導電部２６の近傍と第３線状素子部３０ｃの上記各素子共通地板短絡導電部２６の近傍とを第１導体部３１で接続している。
図１７において、導電基板１０に導電体を使用して、上記導電体を切欠削除して、一端開放空間部２５および各線状素子部３０を形成した場合の複数線状各素子部一体形広帯域平板状アンテナ２０の構成はつぎのとおりである。
（１）導電基板１０の外周部の一部に平行に第１一端開放空間部２５ａを導電基板１０に設けて外周部の一部と第１一端開放空間部２５ａとの間に第１線状素子部３０ａを形成し、
（２）上記第１一端開放空間部２５ａに平行に導電基板１０に第２一端開放空間部２５ｂを設けて上記第２一端開放空間部２５ｂと第１一端開放空間部２５ａとの間に第１線状素子部３０ａおよび第３線状素子部３０ｃよりも長さが長く、第１線状素子部３０ａ方向および第３線状素子部３０ｃ方向に面積を拡大した第２線状素子部３０ｅを形成し、
（３）上記第２一端開放空間部２５ｂに平行に第３線状素子部３０ｃを形成して第２線状素子部３０ｂと地板部２１との間の空間部分の面積を拡大し、各素子を共通に地板部２１に短絡する導電部分を各素子共通地板短絡導電部２６とし、
（４）第２線状素子部３０ｅの各素子共通地板短絡導電部２６の近傍に一方の給電点１４ａを設け、
（５）第３線状素子部３０ｃの各素子共通地板短絡導電部２６の近傍に他方の給電点１４ｂを設けるとともに、
（６）第１線状素子部３０ａの上記各素子共通地板短絡導電部２６の近傍と第３線状素子部３０ｃの上記各素子共通地板短絡導電部２６の近傍とを第１導体部３１で接続している。
［第３発明の実施例１１］
第３発明の実施例１１は、図１８に示すように、複合素子部と地板部２１とを形成する導電基板１０から成る平板状アンテナにおいて、
導電基板１０の外周部の一部に平行に第１一端開放非導電面２５ａを導電基板１０に設けて外周部の一部と第１一端開放非導電面２５ａとの間に第１線状素子部３０ａを形成し、
上記第１一端開放非導電面２５ａに平行に導電基板１０に第Ｎ一端開放非導電面２５ａないし第Ｎ一端開放非導電面２５ｎを設けて上記第２一端開放非導電面２５ｂと第Ｎ一端開放非導電面２５ｎとの間に第２線状素子部３０ｂないし第Ｎ線状素子部３０ｎを形成し、地板部２１に２番目に近い第（Ｎ−１）線状素子部３０ｎ−１は地板部２１に３番目に近い第（Ｎ−２）線状素子部３０ｎ−２および地板部２１に１番に近い第Ｎ線状素子部３０ｎよりも長さが長く、第（Ｎ−１）線状素子部３０ｎ−１の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部３０ｎ−１と地板部２１との間の非導電部分の面積を拡大し、
各素子を共通に地板部２１に短絡する導電部分を各素子共通地板短絡導電部２６とし、
第（Ｎ−１）線状素子部３０ｎ−１の上記各素子共通地板短絡導電部２６の近傍に一方の給電点１４ａを設け、
第Ｎ線状素子部３０ｎの上記各素子共通地板短絡導電部２６の近傍に他方の給電点１４ｂを設けるとともに、
第（Ｎ−２）線状素子部３０ｎ−２の上記各素子共通地板短絡導電部２６の近傍と第Ｎ線状素子部３０ｎの上記各素子共通地板短絡導電部２６の近傍とを第１導体部３１で接続した複数線状各素子部一体形広帯域平板状アンテナである。
図１８に示す複数線状各素子部一体形広帯域平板状アンテナ２０は、次の構成を有している。
（１）導電基板１０の外周部の一部に平行に第１一端開放非導電面２５ａを導電基板１０に設けて外周部の一部と第１一端開放非導電面２５ａとの間に第１線状素子部３０ａを形成し、
（２）上記第１一端開放非導電面２５ａに平行に導電基板１０に第２一端開放非導電面２５ｂを設けて上記第１一端開放非導電面２５ａと第Ｎ線状素子部３０ｎとの間に第２線状素子部３０ｂないし第Ｎ線状素子部３０ｎを形成し、
（３）地板部２１に２番目に近い第（Ｎ−１）線状素子部３０ｎ−１は地板部２１に３番目に近い第（Ｎ−２）線状素子部３０ｎ−２および地板部２１に１番に近いＮ線状素子部３０ｎよりも長さが長く、第（Ｎ−１）線状素子部３０ｎ−１の面積を（ａ）第（Ｎ−２）線状素子部３０ｎ−２方向または（ｂ）第Ｎ線状素子部３０ｎ方向または（ｃ）第（Ｎ−２）線状素子部３０ｎ−２および第Ｎ線状素子部３０ｎ方向に拡大するとともに、第（Ｎ−１）線状素子部３０ｎ−１と地板部２１との間の非導電部分の面積を拡大し、各素子を共通に地板部２１に短絡する導電部分を各素子共通地板短絡導電部２６とし、
（４）一方の給電点１４ａを地板部２１に１番近い第Ｎ線状素子部３０ｎの上記各素子共通地板短絡導電部２６の近傍に設け、
（５）他方の給電点１４ｂを地板部２１に２番目に近い第（Ｎ−１）線状素子部３０ｎ−１の上記各素子共通地板短絡導電部２６の近傍に設けるとともに、
（６）第（Ｎ−２）線状素子部３０ｎ−２の各素子共通地板短絡導電部２６の近傍と上記地板部２１に１番近い第Ｎ線状素子部３０ｎの各素子共通地板短絡導電部２６の近傍とを第１導体部３１で接続している。
図１８において、導電基板１０に導電体を使用して、上記導電体を切欠削除して、一端開放空間部２５および各線状素子部３０を形成した場合の複数線状各素子部一体形広帯域平板状アンテナ２０の構成はつぎのとおりである。
（１）導電基板１０の外周部の一部に平行に第１一端開放空間部２５ａを導電基板１０に設けて外周部の一部と第１一端開放空間部２５ａとの間に第１線状素子部３０ａを形成し、
（２）上記第１一端開放空間部２５ａに平行に導電基板１０に第２一端開放空間部２５ｂないし第Ｎ一端開放空間部２５ｎを設けて第２一端開放空間部２５ｂと第Ｎ一端開放空間部２５ｎとの間に第２線状素子部３０ｂないし第Ｎ線状素子部３０ｎを形成し、
（３）地板部２１に２番目に近い第（Ｎ−１）線状素子部３０ｎ−１は地板部２１に３番目に近い第（Ｎ−２）線状素子部３０ｎ−２および地板部２１に１番に近いＮ線状素子部３０ｎよりも長さが長く、第（Ｎ−１）線状素子部３０ｎ−１の面積を（ａ）第（Ｎ−２）線状素子部３０ｎ−２方向または（ｂ）第Ｎ線状素子部３０ｎ方向または（ｃ）第（Ｎ−２）線状素子部３０ｎ−２および第Ｎ線状素子部３０ｎ方向に拡大するとともに、第（Ｎ−１）線状素子部３０ｎ−１と地板部２１との間の空間部分の面積を拡大し、各素子を共通に地板部２１に短絡する導電部分を各素子共通地板短絡導電部２６とし、
（３）一方の給電点１４ａを地板部２１に１番近い第Ｎ線状素子部３０ｎの各素子共通地板短絡導電部２６の近傍に各素子共通地板短絡導電部２６の近傍に設け、
（４）他方の給電点１４ｂを地板部２１に２番目に近い第（Ｎ−１）線状素子部３０ｎ−１の各素子共通地板短絡導電部２６の近傍に設けるとともに、
（５）第（Ｎ−２）線状素子部３０ｎ−２の各素子共通地板短絡導電部２６の近傍と上記地板部２１に１番近い第Ｎ線状素子部３０ｎの各素子共通地板短絡導電部２６の近傍とを第１導体部３１で接続している。
［第３発明の効果］
第３発明の効果について図１９を参照して説明する。図１９は、図１に示す第３発明の複数線状各素子部一体形広帯域平板状アンテナの反射特性図であって、前述した図１２と同様に、横軸に複数線状各素子部一体形広帯域平板状アンテナ２０の給電点に入出力する動作周波数［ＧＨｚ］を選定し、縦軸に各周波数に対するアンテナ形状によって特定される反射損失（リターンロス）［ｄＢ］を測定した反射特性図である。
図１９において、実線Ｓ３は、図１に示す第３発明の実施例９の複数線状各素子部一体形広帯域平板状アンテナ２０の反射特性図である。破線Ｓ２は、図１３に示す第２発明の実施例４の複数線状・スロット各素子部一体形広帯域平板状アンテナの反射特性図である。以下、図１に示す第３発明による反射特性図と図１３に示す第２発明による反射特性図とを対比して説明する。
（ａ）前述した図１２と同様に、反射特性Ｓ３を形成する特性Ｓ３ａは、図１６の一体形広帯域平板状アンテナの第２線状素子部２２ｂが中心的に寄与して得られる特性であり、特性Ｓ３ｂｃは、第１線状素子部２２ａと第３線状素子部２２ｃとが中心的に寄与して得られる反射特性である。
上記特性Ｓ３ｂｃは前述した図１２と同様に、第１線状素子部２２ａおよび第３線状素子部２２の動作周波数に近接させることによって、個々の動作帯域の合計よりも動作帯域を拡大できる。
（ｂ）さらに、図１９において、破線Ｓ２は、図１３に示す第２発明の実施例４の複数線状・スロットの各素子部一体形広帯域平板状アンテナ１２の反射特性図である。
また、前述した図１２と同様に、特性Ｓ２ａは、図１３に示すアンテナ１２の第２線状素子部２２ｂが中心的に寄与して得られる特性であり、特性Ｓ２ｂｃは、第１線状素子部２２ａとスロット素子部２４とが中心的に寄与して得られる反射特性である。
特性Ｓ２ｂｃは、前述した図１２と同様に、第１線状素子部２２ａと第３線状素子部２２ｃとの動作周波数に近接させることによって、個々の動作帯域の合計よりも動作帯域を拡大できる。
（ｃ）図１４、図１５およびこれらの変形に示す他の第２発明の実施例６、実施例７などにおいても、同様に動作帯域を拡大できる。
前述したように、図１３ないし図１５にそれぞれ示す実施例４ないし実施例６では、図１９における特性Ｓ２ｂｃに比較して特性Ｓ２ａの動作帯域が狭くなる。その結果、パソコン筺体に収納するために、図１３ないし図１５に示す複合素子部の長さｙ１を小さくしようとする場合に、特性Ｓ２ｂｃの動作帯域に余裕がある場合でも、特性Ｓ２ａの動作帯域がさらに狭くなり、動作に必要な動作帯域を確保できない場合が生じる。
この場合に、図１６に示す第３発明の実施例８では、第２発明の実施例４ないし実施例６と比較して、第２線状素子部２２ｂと地板部２１との間の空隙の面積を拡大することによって、特性Ｓ２ｂｃに比較して特性Ｓ３ｂｃの動作帯域を拡大することができ、複合素子部の長さｙ１をさらに短くすることができる。
上記の第１発明ないし第３発明の広帯域平板状アンテナは、３つ以上の異なる動作周波数を有するマルチバンドアンテナとして動作させることができる。
【産業上の利用可能性】  本発明は、下記の各実施の形態に対して実益性を伴った有益性があるので、産業上の利用可能性を裏付ける。
第１発明の広帯域平板状アンテナは、コストアップすることなく、またこれらの収納スペースのために携帯電子機器の寸法、形状、デザインなどが制約されることなく、本来目標としたアンテナの信号の指向性が得られる広帯域および多帯域化に共用できる携帯電子機器に適し産業上の利用可能性が大である。
第２発明の広帯域平板状アンテナは、第１発明の作用効果に加えて、筺体などの影響が特定の周波数に偏らないように、第１線状素子部３０ａの長さを第２線状素子部３０ｂよりも短くしても、第１線状素子部３０ａを十分に励振させることができるので、産業上の利用可能性が大である。
第３発明の複数線状各素子部一体形広帯域平板状アンテナは、第１発明および第２発明の作用効果に加えて、第２線状素子部３０ｂおよび第２線状素子部３０ｂから地板部２１の間の空間部分の面積を大きくして、第２線状素子部の動作帯域を広くすることができるので、産業上の利用可能性が大である。
【図１】
2004097980.tif 000003
【図２】
2004097980.tif 000004
【図３】
2004097980.tif 000005
【図４】
2004097980.tif 000006
【図５】
2004097980.tif 000007
2004097980.tif 000008
【図７】
2004097980.tif 000009
【図８】
2004097980.tif 000010
【図９】
2004097980.tif 000011
【図１０】
2004097980.tif 000012
2004097980.tif 000013
【図１２】
2004097980.tif 000014
【図１３】
2004097980.tif 000015
【図１４】
2004097980.tif 000016
【図１５】
2004097980.tif 000017
【図１６】
2004097980.tif 000018
【図１７】
2004097980.tif 000019
【図１８】
2004097980.tif 000020
【図１９】
2004097980.tif 000021
【手続補正書】
【提出日】平成16年11月22日(2004.11.22)
【手続補正００１】
【補正対象書類名】特許請求の範囲
【補正対象項目名】全文
【補正方法】変更
【補正の内容】
【書類名】特許請求の範囲
【請求項１】導電基板（１０）の外周部の一部に平行に一端開放非導電面（２５）を導電基板に設けて外周部の一部と一端開放非導電面との間に線状素子部（２２）を形成し、
前記一端開放非導電面に平行に導電基板に閉塞長方形非導電面を設けてスロット素子部（２４）を形成し、
一端開放非導電面とスロット素子部との間に形成される給電点形成導電部（２３）に非導電部（２８）を設けて前記非導電部の両端を給電点（１４）とし、
前記線状素子部およびスロット素子部および給電点形成導電部の残余の導電基板の導電部を地板部（２１）とした単一線状・スロット各素子部一体形広帯域平板状アンテナ。
【請求項２】導電基板（１０）の外周部の一部に平行に一端開放空間部（２５）を導電基板に設けて外周部の一部と一端開放空間部との間に線状素子部（２２）を形成し、
前記一端開放空間部に平行に導電基板にスロットを設けてスロット素子部（２４）を形成し、
一端開放空間部とスロット素子部との間に形成される給電点形成導体部（２３）に開口部（２８）を設けて開口部の両端を給電点（１４）とし、
前記線状素子部およびスロット素子部および給電点形成導体部の残余の導電基板を地板部（２１）とした単一線状・スロット各素子部一体形広帯域平板状アンテナ。
【請求項３】導電基板（１０）の外周部の一部に平行に第１一端開放非導電面（２５ａ）を導電基板に設けて外周部の一部と第１一端開放非導電面との間に第１線状素子部（２２ａ）を形成し、
前記第１一端開放非導電面に平行に導電基板に第２一端開放非導電面（２５ｂ）を設けて前記第２一端開放非導電面と第１一端開放非導電面との間に第２線状素子部（２２ｂ）を形成し、
前記第２一端開放非導電面に平行に導電基板に閉塞長方形非導電面を設けてスロット素子部（２４）を形成し、
第２線状素子部とスロット素子部との間に形成される給電点形成導電部（２３）に非導電部（２８）を設けて前記非導電部の両端を給電点（１４）とし、
前記複数の線状素子部およびスロット素子部および給電点形成導電部の残余の導電基板を地板部（２１）とした複数線状・スロット各素子部一体形広帯域平板状アンテナ。
【請求項４】導電基板（１０）の外周部の一部に平行に第１一端開放空間部（２５ａ）を導電基板に設けて外周部の一部と第１一端開放空間部との間に第１線状素子部（２２ａ）を形成し、
前記第１一端開放空間部に平行に導電基板に第２一端開放空間部（２５ｂ）を設けて前記第２一端開放空間部と第１一端開放空間部との間に第２線状素子部（２２ｂ）を形成し、
前記第２一端開放空間部に平行に導電基板にスロットを設けてスロット素子部（２４）を形成し、
第２線状素子部とスロット素子部との間に形成される給電点形成導体部（２３）に開口部（２８）を設けて前記開口部の両端を給電点（１４）とし、
前記複数の線状素子部およびスロット素子部および給電点形成導体部の残余の導電基板を地板部（２１）とした複数線状・スロット各素子部一体形広帯域平板状アンテナ。
【請求項５】導電基板（１０）の外周部の一部に平行に第１一端開放非導電面（２５ａ）を導電基板に設けて外周部の一部と第１一端開放非導電面との間に第１線状素子部（２２ａ）を形成し、
前記第１一端開放非導電面に平行に導電基板に第２一端開放非導電面（２５ｂ）ないし第Ｎ一端開放非導電面（２５ｎ）の複数の一端開放非導電面を設けて前記各一端開放非導電面の間に第２線状素子部（２２ｂ）ないし第Ｎ線状素子部（２２ｎ）の複数の線状素子部を形成し、
前記第Ｎ一端開放非導電面に平行に導電基板に閉塞長方形非導電面を設けてスロット素子部（２４）を形成し、
第Ｎ一端開放非導電面とスロット素子部との間に形成される給電点形成導電部（２３）に非導電部（２８）を設けて前記非導電部の両端を給電点（１４）とし、
前記複数の線状素子部およびスロット素子部および給電点形成導電部の残余の導電基板を地板部（２１）とした複数線状・スロット各素子部一体形広帯域平板状アンテナ。
【請求項６】導電基板（１０）の外周部の一部に平行に第１一端開放非導電面（２５ａ）を導電基板に設けて外周部の一部と第１一端開放非導電面との間に導電基板の外周部側の長さが短い第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長い第２線状素子部（３０ｂ）を形成し、
前記第２一端開放非導電面に平行に導電基板に閉塞長方形非導電面を設けてスロット素子部（２４）を形成し、
第２線状素子部とスロット素子部との間に形成される給電点形成導電部（２３）に非導電部（２８）を設けて前記非導電部の両端を給電点（１４）とし、
第１線状素子部と給電点形成導体部とを第１導体部（３１）で接続し、
前記複数の線状素子部およびスロット素子部および給電点形成導電部の残余の導電基板を地板部（２１）とした複数線状・スロット各素子部一体形広帯域平板状アンテナ。
【請求項７】導電基板（１０）の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長い第２線状素子部（３０ｂ）を形成し、
前記第２一端開放空間部に平行に導電基板にスロットを設けてスロット素子部（２４）を形成し、
第２線状素子部とスロット素子部との間に形成される給電点形成導体部（２３）に開口部（２８）を設けて前記開口部の両端を給電点（１４）とし、
第１線状素子部と給電点形成導体部とを第１導体部（３１）で接続し、
前記複数の線状素子部およびスロット素子部および給電点形成導体部の残余の導電基板を地板部（２１）とした複数線状・スロット各素子部一体形広帯域平板状アンテナ。
【請求項８】導電基板（１０）の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）ないし第Ｎ一端開放非導電面（２５ｎ）の複数の一端開放非導電面を設けて前記各一端開放非導電面の間に第１線状素子部よりも長さが長い第２線状素子部（３０ｂ）ないし第Ｎ線状素子部（３０ｎ）の複数の線状素子部を形成し、
前記第Ｎ一端開放非導電面に平行に導電基板に閉塞長方形非導電面を設けてスロット素子部（２４）を形成し、
第Ｎ一端開放非導電面とスロット素子部との間に形成される給電点形成導電部（２３）に非導電部（２８）を設けて前記非導電部の両端を給電点（１４）とし、
第１線状素子部と給電点形成導体部とを第１導体部（３１）で接続し、
前記複数の線状素子部およびスロット素子部および給電点形成導電部の残余の導電基板を地板部（２１）とした複数線状・スロット各素子部一体形広帯域平板状アンテナ。
【請求項９】複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長い第２線状素子部（３０ｂ）を形成し、
前記第２一端開放非導電面に平行に導電基板に第３一端開放非導電面（２５ｃ）を設けて、前記第３一端開放非導電面と第２一端開放非導電面との間に第２線状素子部よりも長さが短い第３線状素子部（３０ｃ）を形成して第２線状素子部と地板部との間の非導電部分の面積を拡大し、
各素子を共通に地板部に短絡する導電部分を各素子共通地板短絡導電部（２６）とし、
第２線状素子部の前記の各素子共通地板短絡導電部の近傍に一方の給電点（１４ａ）を設け、
第３線状素子部の前記の各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１０】複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長い第２線状素子部（３０ｂ）を形成し、
前記第２一端開放空間部に平行に導電基板に第３一端開放空間部（２５ｃ）を設けて、前記第３一端開放空間部と第２一端開放空間部との間に第２線状素子部よりも長さが短い第３線状素子部（３０ｃ）を形成して第２線状素子部と地板部との間の空間部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１１】複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長く、第１線状素子部方向に面積を拡大した第２線状素子部（３０ｂ）を形成し、
前記第２一端開放非導電面に平行に導電基板に第３一端開放非導電面（２５ｃ）を設けて、前記第３一端開放非導電面と第２一端開放非導電面との間に第２線状素子部よりも長さが短い第３線状素子部（３０ｃ）を形成して第２線状素子部と地板部との間の非導電部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１２】複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長く、第１線状素子部方向に面積を拡大した第２線状素子部（３０ｂ）を形成し、
前記第２一端開放空間部に平行に導電基板に第３一端開放空間部を設けて、前記第３一端開放空間部と第２一端開放空間部との間に第２線状素子部よりも長さが短い第３線状素子部（３０ｃ）を形成して第２線状素子部と地板部との間の空間部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１３】複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）を設けて前記第２一端開放非導電面と第１一端開放非導電面との間に第１線状素子部よりも長さが長く、第１線状素子部方向および第１線状素子部方向とは反対の方向に面積を拡大した第２線状素子部（３０ｂ）を形成し、
前記第２一端開放非導電面に平行に導電基板に第３一端開放非導電面（２５ｃ）を設けて、前記第３一端開放非導電面と第２一端開放非導電面との間に第２線状素子部よりも長さが短い第３線状素子部（３０ｃ）を形成して第２線状素子部と地板部との間の非導電部分の面積を拡大し、各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１４】複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）を設けて前記第２一端開放空間部と第１一端開放空間部との間に第１線状素子部よりも長さが長く、第１線状素子部方向および第１線状素子部方向とは反対の方向に面積を拡大した第２線状素子部（２０ｂ）を形成し、
前記第２一端開放非導電面に平行に導電基板に第３一端開放空間部（２５ｃ）を設けて、前記第３一端開放空間部と第２一端開放空間部との間に第２線状素子部よりも長さが短い第３線状素子部（３０ｃ）を形成して第２線状素子部と地板部との間の空間部分の面積を拡大し、
各素子を共通に地板部に短絡する導電部分を各素子共通地板短絡導電部（２６）とし、
第２線状素子部の前記各素子共通地板短絡導電部の近傍に一方の給電点（１４ａ）を設け、
第３線状素子部の前記各素子共通地板短絡導電部の近傍に他方の給電点（１４ｂ）を設けるとともに、
第１線状素子部と第３線状素子部とを第１導体部（３１）で接続した広帯域平板状アンテナ。
【請求項１５】複合素子部と地板部（２１）とを形成する導電基板（１０）から成る平板状アンテナにおいて、
導電基板の外周部の一部に平行に第１一端開放非導電面（２５ａ）を導電基板に設けて外周部の一部と第１一端開放非導電面との間に第１線状素子部（３０ａ）を形成し、
前記第１一端開放非導電面に平行に導電基板に第２一端開放非導電面（２５ｂ）ないし第Ｎ一端開放非導電面（２５ｎ）を設けて前記第２一端開放非導電面と第Ｎ一端開放非導電面との間に第２線状素子部ないし第Ｎ線状素子部（３０ｎ）を形成し、地板部に２番目に近い第（Ｎ−１）線状素子部（３０ｎ−１）は地板部に３番目に近い第（Ｎ−２）線状素子部（３０ｎ−２）および地板部に１番に近い第Ｎ線状素子部（３０ｎ）よりも長さが長く、第（Ｎ−１）線状素子部の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部と地板部との間の非導電部分の面積を拡大し、
各素子を共通に地板部に短絡する導電部分を各素子共通地板短絡導電部（２６）とし、
第（Ｎ−１）線状素子部の前記各素子共通地板短絡導電部の近傍に一方の給電点（１４ａ）を設け、
第Ｎ線状素子部の前記各素子共通地板短絡導電部の近傍に他方の給電点（１４ｂ）を設けるとともに、
第（Ｎ−２）線状素子部の前記各素子共通地板短絡導電部の近傍と第Ｎ線状素子部の前記各素子共通地板短絡導電部の近傍とを第１導体部（３１）で接続した広帯域平板状アンテナ。
【請求項１６】複合素子部と地板部（２１）とを形成する導電基板（１０）から成る平板状アンテナにおいて、
導電基板の外周部の一部に平行に第１一端開放空間部（２５ａ）を導電基板に設けて外周部の一部と第１一端開放空間部との間に第１線状素子部（３０ａ）を形成し、
前記第１一端開放空間部に平行に導電基板に第２一端開放空間部（２５ｂ）ないし第Ｎ一端開放空間部（２５ｎ）を設けて前記第２一端開放空間部と第Ｎ一端開放空間部との間に第２線状素子部（３０ｂ）ないし第Ｎ線状素子部（３０ｎ）を形成し、地板部に２番目に近い第（Ｎ−１）線状素子部（３０ｎ−１）は地板部に３番目に近い第（Ｎ−２）線状素子部（３０ｎ−２）および地板部に１番に近い第Ｎ線状素子部よりも長さが長く、第（Ｎ−１）線状素子部の面積を第（Ｎ−２）線状素子部方向または第Ｎ線状素子部方向または第（Ｎ−２）線状素子部方向および第Ｎ線状素子部方向に拡大するとともに第（Ｎ−１）線状素子部と地板部との間の空間部分の面積を拡大し、
各素子を共通に地板部に短絡する導電部分を各素子共通地板短絡導電部（２６）とし、
第（Ｎ−１）線状素子部の前記各素子共通地板短絡導電部の近傍に一方の給電点（１４ａ）を設け、
第Ｎ線状素子部の前記各素子共通地板短絡導電部の近傍に他方の給電点（１４ｂ）を設けるとともに、
第（Ｎ−２）線状素子部の前記各素子共通地板短絡導電部の近傍と第Ｎ線状素子部の前記各素子共通地板短絡導電部の近傍とを第１導体部（３１）で接続した広帯域平板状アンテナ。




【国際調査報告】
2004097980.tif 000022
2004097980.tif 000023
2004097980.tif 000024
2004097980.tif 000025